(57)【要約】  ユーザ機器において、１つまたは複数の無線測定を実行する方法が提供される。この方法は、ユーザ機器が、第１の組の参照時間リソースを用いて、第１のキャリア周波数で動作する少なくとも１つの第１のセル上で１つまたは複数の無線測定を実行することになっていると決定することを含む。この方法は、決定した第１の組の参照時間リソースに基づいて、第２のキャリア周波数で動作する第２のセル上で参照信号を送信するための参照信号キャリアベース切り替えを適応的に実行することをさらに含む。また、ネットワークノードにおける方法が提供される。この方法は、ユーザ機器が、第１の組の参照時間リソースを用いて、第１のキャリア周波数で動作する少なくとも１つの第１のセル上で１つまたは複数の無線測定を実行することになっていると決定することを含む。この方法は、ユーザ機器が、決定した第１の組の参照時間リソースに基づいて、第２のキャリア周波数で動作する第２のセル上で参照信号を送信するための参照信号キャリアベース切り替えを適応的に実行することになっていると決定することをさらに含む。この方法は、適応的な参照信号キャリアベース切り替えの結果を１つまたは複数の運用タスクに使用することをさらに含む。【選択図】図６
2019537327.tif 000002
【特許請求の範囲】
【請求項１】
ユーザ機器において、１つまたは複数の無線測定を実行する方法であって、
前記ユーザ機器が、第１の組の参照時間リソースを用いて、第１のキャリア周波数で動作する少なくとも１つの第１のセル上で１つまたは複数の無線測定を実行することになっていると決定することと、
前記決定した第１の組の参照時間リソースに基づいて、第２のキャリア周波数で動作する第２のセル上で参照信号を送信するための参照信号キャリアベース切り替えを適応的に実行することと、
を含む、方法。
【請求項２】
前記第１の組の参照時間リソースが無線測定に確実に利用可能となるように、前記決定した第１の組の参照時間リソースに基づいて、第２のキャリア周波数で動作する第２のセル上で参照信号を送信するための参照信号キャリアベース切り替えを適応的に実行することを含む、請求項１に記載の方法。
【請求項３】
前記第１の組の参照時間リソースが、無線フレームごとのダウンリンクサブフレーム番号０もしくはダウンリンクサブフレーム番号５、位置決め参照信号を含むダウンリンクサブフレーム、発見信号を含むダウンリンクサブフレーム、ならびにＵＥ  Ｒｘ−Ｔｘ時間差測定用の無線フレームごとの少なくとも１つのダウンリンクサブフレームおよびアップリンクサブフレーム、のうちの少なくとも１つを含む、請求項１または２に記載の方法。
【請求項４】
前記ユーザ機器が、第１の組の参照時間リソースを用いて、第１のキャリア周波数で動作する少なくとも１つの第１のセル上で１つまたは複数の無線測定を実行することになっていると決定することが、前記ユーザ機器が、既知の測定サンプル周期性、ネットワークノードから受信された測定設定または指標、のうちの少なくとも一方に基づき、第１の組の参照時間リソースを用いて、第１のキャリア周波数で動作する少なくとも１つの第１のセル上で１つまたは複数の無線測定を実行することになっていると決定することを含む、請求項１から３のいずれか一項に記載の方法。
【請求項５】
前記決定した第１の組の参照時間リソースに基づいて、第２のキャリア周波数で動作する第２のセル上で参照信号を送信するための参照信号キャリアベース切り替えを適応的に実行することが、参照信号キャリアベース切り替え設定を適応させることを含む、請求項１から４のいずれか一項に記載の方法。
【請求項６】
前記参照信号キャリアベース切り替え設定を適応させることが、参照信号切り替え周期、参照信号キャリアベース切り替えに関与する複数または一組のキャリア、キャリアが切り替えられるシーケンス、参照信号切り替えループ長、１つまたは複数の参照信号送信パラメータ、参照信号キャリアベース切り替え中のキャリア滞在時間、前記ユーザ機器が前記第２のキャリア周波数に切り替わった場合の前記第２のキャリア周波数での参照信号送信前の最小または最大時間、および前記ユーザ機器が前記第２のキャリア周波数から切り替わった場合の前記第２のキャリア周波数での参照信号送信後の最小または最大時間のうちの１つまたは複数を適応させることを含む、請求項５に記載の方法。
【請求項７】
前記ユーザ機器が、所定のルール、所定の設定、およびネットワークノードから受信された補助データのうちの少なくとも１つに基づいて、前記参照信号キャリアベース切り替えを適応的に実行する、請求項１から６のいずれか一項に記載の方法。
【請求項８】
第２の組の時間リソースに基づいて、前記第２のキャリア周波数で動作する前記第２のセル上で参照信号を送信するための参照信号キャリアベース切り替えを適応的に実行することをさらに含み、前記第２の組の時間リソースが、前記ユーザ機器によって、前記第１のキャリア周波数上のさらなるセルおよび前記第２のキャリア周波数上のさらなるセルの一方において測定を実行するのに用いられると予想される、請求項１から７のいずれか一項に記載の方法。
【請求項９】
前記決定した第１の組の参照時間リソースを用いて、１つまたは複数の無線測定を実行することをさらに含む、請求項１から８のいずれか一項に記載の方法。
【請求項１０】
前記適応的な参照信号キャリアベース切り替えの結果を１つまたは複数の運用タスクに使用することをさらに含む、請求項１から９のいずれか一項に記載の方法。
【請求項１１】
前記参照信号が、サウンディング参照信号（ＳＲＳ）である、請求項１から１０のいずれか一項に記載の方法。
【請求項１２】
ネットワークノードにおいて、
ユーザ機器が、第１の組の参照時間リソースを用いて、第１のキャリア周波数で動作する少なくとも１つの第１のセル上で１つまたは複数の無線測定を実行することになっていると決定することと、
前記ユーザ機器が、前記決定した第１の組の参照時間リソースに基づいて、第２のキャリア周波数で動作する第２のセル上で参照信号を送信するための参照信号キャリアベース切り替えを適応的に実行することになっていると決定することと、
前記適応的な参照信号キャリアベース切り替えの結果を１つまたは複数の運用タスクに使用することと、
を含む、方法。
【請求項１３】
前記決定した第１の組の参照時間リソースに基づいて、第２のキャリア周波数で動作する第２のセル上で参照信号を送信するための参照信号キャリアベース切り替えを適応的に実行するように前記ユーザ機器を設定することを含む、請求項１２に記載の方法。
【請求項１４】
前記第１の組の参照時間リソースが、無線フレームごとのダウンリンクサブフレーム番号０もしくはダウンリンクサブフレーム番号５、位置決め参照信号を含むダウンリンクサブフレーム、発見信号を含むダウンリンクサブフレーム、ならびにＵＥ  Ｒｘ−Ｔｘ時間差測定用の無線フレームごとの少なくとも１つのダウンリンクサブフレームおよびアップリンクサブフレーム、のうちの少なくとも１つを含む、請求項１２または１３に記載の方法。
【請求項１５】
測定設定を前記ユーザ機器に送信することを含み、前記測定設定が、前記第１の組の参照時間リソースを示す、請求項１２から１４のいずれか一項に記載の方法。
【請求項１６】
前記参照信号が、サウンディング参照信号（ＳＲＳ）である、請求項１２から１５のいずれか一項に記載の方法。
【請求項１７】
１つまたは複数のプロセッサを備えたユーザ機器であって、前記１つまたは複数のプロセッサが、
前記ユーザ機器が、第１の組の参照時間リソースを用いて、第１のキャリア周波数で動作する少なくとも１つの第１のセル上で１つまたは複数の無線測定を実行することになっていると決定することと、
前記決定した第１の組の参照時間リソースに基づいて、第２のキャリア周波数で動作する第２のセル上で参照信号を送信するための参照信号キャリアベース切り替えを適応的に実行することと、
を行うように設定された、ユーザ機器。
【請求項１８】
前記１つまたは複数のプロセッサが、前記第１の組の参照時間リソースが無線測定に確実に利用可能となるように、前記決定した第１の組の参照時間リソースに基づいて、第２のキャリア周波数で動作する第２のセル上で参照信号を送信するための参照信号キャリアベース切り替えを適応的に実行するように設定された、請求項１７に記載のユーザ機器。
【請求項１９】
前記第１の組の参照時間リソースが、無線フレームごとのダウンリンクサブフレーム番号０もしくはダウンリンクサブフレーム番号５、位置決め参照信号を含むダウンリンクサブフレーム、発見信号を含むダウンリンクサブフレーム、ならびにＵＥ  Ｒｘ−Ｔｘ時間差測定用の無線フレームごとの少なくとも１つのダウンリンクサブフレームおよびアップリンクサブフレーム、のうちの少なくとも１つを含む、請求項１７または１８に記載のユーザ機器。
【請求項２０】
前記１つまたは複数のプロセッサが、前記ユーザ機器が、既知の測定サンプル周期性、ネットワークノードから受信された測定設定または指標、のうちの少なくとも一方に基づき、第１の組の参照時間リソースを用いて、第１のキャリア周波数で動作する少なくとも１つの第１のセル上で１つまたは複数の無線測定を実行することになっていると決定するように設定された、請求項１７から１９のいずれか一項に記載のユーザ機器。
【請求項２１】
前記１つまたは複数のプロセッサが、参照信号キャリアベース切り替え設定を適応させることにより、前記決定した第１の組の参照時間リソースに基づいて、第２のキャリア周波数で動作する第２のセル上で参照信号を送信するための参照信号キャリアベース切り替えを適応的に実行するように設定された、請求項１７から２０のいずれか一項に記載のユーザ機器。
【請求項２２】
前記１つまたは複数のプロセッサが、参照信号切り替え周期、参照信号キャリアベース切り替えに関与する複数または一組のキャリア、キャリアが切り替えられるシーケンス、参照信号切り替えループ長、１つまたは複数の参照信号送信パラメータ、参照信号キャリアベース切り替え中のキャリア滞在時間、前記ユーザ機器が前記第２のキャリア周波数に切り替わった場合の前記第２のキャリア周波数での参照信号送信前の最小または最大時間、および前記ユーザ機器が前記第２のキャリア周波数から切り替わった場合の前記第２のキャリア周波数での参照信号送信後の最小または最大時間のうちの１つまたは複数を適応させることによって、前記参照信号キャリアベース切り替え設定を適応させるように設定された、請求項２１に記載のユーザ機器。
【請求項２３】
前記１つまたは複数のプロセッサが、所定のルール、所定の設定、およびネットワークノードから受信された補助データのうちの少なくとも１つに基づいて、前記参照信号キャリアベース切り替えを適応的に実行するように設定された、請求項１７から２２のいずれか一項に記載のユーザ機器。
【請求項２４】
前記１つまたは複数のプロセッサが、第２の組の時間リソースに基づいて、前記第２のキャリア周波数で動作する前記第２のセル上で参照信号を送信するための参照信号キャリアベース切り替えを適応的に実行するようにさらに設定され、前記第２の組の時間リソースが、前記ユーザ機器によって、前記第１のキャリア周波数上のさらなるセルおよび前記第２のキャリア周波数上のさらなるセルの一方において測定を実行するのに用いられると予想される、請求項１７から２３のいずれか一項に記載のユーザ機器。
【請求項２５】
前記１つまたは複数のプロセッサが、前記決定した第１の組の参照時間リソースを用いて、１つまたは複数の測定を実行するようにさらに設定された、請求項１７から２４のいずれか一項に記載のユーザ機器。
【請求項２６】
前記１つまたは複数のプロセッサが、前記適応的な参照信号キャリアベース切り替えの結果を１つまたは複数の運用タスクに使用するようにさらに設定された、請求項１７から２５のいずれか一項に記載のユーザ機器。
【請求項２７】
前記参照信号が、サウンディング参照信号（ＳＲＳ）である、請求項１７から２６のいずれか一項に記載のユーザ機器。
【請求項２８】
１つまたは複数のプロセッサを備えたネットワークノードであって、前記１つまたは複数のプロセッサが、
ユーザ機器が、第１の組の参照時間リソースを用いて、第１のキャリア周波数で動作する少なくとも１つの第１のセル上で１つまたは複数の無線測定を実行することになっていると決定することと、
前記ユーザ機器が、前記決定した第１の組の参照時間リソースに基づいて、第２のキャリア周波数で動作する第２のセル上で参照信号を送信するための参照信号キャリアベース切り替えを適応的に実行することになっていると決定することと、
前記適応的な参照信号キャリアベース切り替えの結果を１つまたは複数の運用タスクに使用することと、
を行うように設定された、ネットワークノード。
【請求項２９】
前記１つまたは複数のプロセッサが、前記決定した第１の組の参照時間リソースに基づいて、第２のキャリア周波数で動作する第２のセル上で参照信号を送信するための参照信号キャリアベース切り替えを適応的に実行するように前記ユーザ機器を設定するように設定された、請求項２８に記載のネットワークノード。
【請求項３０】
前記第１の組の参照時間リソースが、無線フレームごとのダウンリンクサブフレーム番号０もしくはダウンリンクサブフレーム番号５、位置決め参照信号を含むダウンリンクサブフレーム、発見信号を含むダウンリンクサブフレーム、ならびにＵＥ  Ｒｘ−Ｔｘ時間差測定用の無線フレームごとの少なくとも１つのダウンリンクサブフレームおよびアップリンクサブフレーム、のうちの少なくとも１つを含む、請求項２８または２９に記載のネットワークノード。
【請求項３１】
前記１つまたは複数のプロセッサが、測定設定を前記ユーザ機器に送信するように設定され、前記測定設定が、前記第１の組の参照時間リソースを示す、請求項２８から３０のいずれか一項に記載のネットワークノード。
【請求項３２】
前記参照信号が、サウンディング参照信号（ＳＲＳ）である、請求項２８から３１のいずれか一項に記載のネットワークノード。
【発明の詳細な説明】
【技術分野】
【０００１】
本開示は、一般的には無線通信に関し、より詳細には、参照信号（ＲＳ）切り替え、特に、サウンディング参照信号（ＳＲＳ）切り替えに関する。
【背景技術】
【０００２】
サウンディング参照信号
サウンディング参照信号（ＳＲＳ）は、たとえばｅＮｏｄｅＢがさまざまなアップリンク（ＵＬ）チャネル特性を推定できるようにするためにユーザ機器（ＵＥ）により送信される既知の信号である。これらの推定値は、たとえばＵＬスケジューリングおよびリンク適応のほか、ダウンリンク（ＤＬ）多重アンテナ送信に用いられる場合がある（特に、ＵＬおよびＤＬが同じ周波数を使用する時分割複信（ＴＤＤ）の場合）。
【０００３】
図１は、ＵＬ送信サブフレームを示している。ＳＲＳは、図１において規定されており、単一の直交周波数分割多重（ＯＦＤＭ）シンボルの持続時間を有する。ＳＲＳは、１ｍｓのＵＬサブフレームの最終シンボルにおいて送信可能であり、また、ＴＤＤの場合は、スペシャルスロットＵｐＰＴＳ（アップリンクパイロットタイムスロット）において送信可能である。ＵｐＰＴＳの長さは、１つまたは２つのシンボルとなるように設定可能である。
【０００４】
図２は、３ＤＬ：２ＵＬのＴＤＤの一例を示している。より詳細に、図２は、１０ｍｓの無線フレーム内のＤＬ：ＵＬ比が３：２の一例を示している。ＳＲＳには、最大８つのシンボルを確保可能である。
【０００５】
ＳＲＳ帯域幅、ＳＲＳ周波数領域位置、ＳＲＳホッピングパターン、およびＳＲＳサブフレーム設定等のＳＲＳシンボルの設定は、無線リソース制御（ＲＲＣ）情報エレメントの一部として準静的に設定される。
【０００６】
ロングタームエボリューション（ＬＴＥ）ＵＬには、周期的ＳＲＳ送信および非周期的ＳＲＳ送信という２種類のＳＲＳ送信が存在する。周期的ＳＲＳは、ＲＲＣシグナリングにより設定された規則的なタイムインスタンスにおいて送信される。非周期的ＳＲＳは、物理ダウンリンク制御チャネル（ＰＤＣＣＨ）におけるシグナリングによりトリガされる１回限りの送信である。
【０００７】
実際のところ、ＳＲＳに関しては、セル固有ＳＲＳ設定およびＵＥ固有ＳＲＳ設定という２つの異なる設定が存在する。セル固有ＳＲＳ設定は本質的に、図２に示すようにセル内のＳＲＳ送信に用いられ得るサブフレームを示す。
【０００８】
ＵＥ固有ＳＲＳ設定は、端末に対して、その特定のＵＥのＳＲＳ送信に用いられる（セル内のＳＲＳ送信に予約されたサブフレームのうちの）サブフレームおよび周波数領域リソースのパターンを示す。また、周波数領域コームおよび巡回シフト等、ＵＥが信号の送信時に使用する他のパラメータを含む。
【０００９】
これは、ＵＥ固有設定を用いることにより、異なるＵＥからのＳＲＳを時間領域で多重化することによって、２つのＵＥのＳＲＳが異なるサブフレームにおいて送信されるようにすることができることを意味する。さらに、同じシンボルにおいて、ＳＲＳを周波数領域で多重化可能である。一組のサブキャリアは、偶数および奇数サブキャリアを各組にそれぞれ含む二組のサブキャリアまたはコームに分割される。また、ＵＥは、異なる帯域幅を有することにより、付加的なＦＤＭを得るようにしてもよい。コームによれば、帯域幅が異なる信号の周波数領域多重および重ね合わせが可能となる。また、符号分割多重も利用可能である。そして、基本的なベースシーケンスの異なるシフトの利用により、異なるユーザが同じ時間および周波数領域リソースを厳密に使用可能である。
【００１０】
ＳＲＳキャリアベースの切り替え
ＬＴＥネットワークにおいては、さまざまなＤＬトラフィックの増大が存在し、アグリゲートされたＤＬコンポーネントキャリア（ＣＣ）の数が（アグリゲートされた）アップリンクＣＣの数よりも多くなる。既存のＵＥカテゴリの場合は、通常のキャリアアグリゲーション（ＣＡ）によって、ＵＥが１つまたは２つのアップリンクＣＣのみをサポート可能である一方、ＤＬにおいては最大５つのＣＣをアグリゲート可能である。
【００１１】
ＵＬおよびＤＬの両者をサポートするキャリアの場合は、チャネル相反性を利用可能であることから、プリコーディングマトリクスインジケータ（ＰＭＩ）を伴わずにＳＲＳを伴う送信ダイバーシティベースのフィードバックが有効である。ただし、ＵＥは一般的に、ＵＬキャリアよりも多くのＤＬキャリアをアグリゲート可能である。結果として、ＵＥのＤＬ送信を伴う一部のＴＤＤキャリアでは、ＳＲＳを含むＵＬ送信が行われず、これらにキャリアにチャネル相反性を利用することができない。このような状況は、ＣＣの大部分がＴＤＤである最大３２個のＣＣのキャリアアグリゲーション（ＣＡ）高度化の場合により深刻となる。これらのＴＤＤキャリア上でのＳＲＳ送信を可能にするには、ＴＤＤ  ＵＬキャリアへの高速キャリア切り替えおよびＴＤＤ  ＵＬキャリア間の高速キャリア切り替えを可能にすることが１つの手法であり、サポートされるべきである。
【００１２】
ＳＲＳキャリアベースの切り替えは、ＴＤＤ  ＣＣへのＳＲＳ切り替えおよびＴＤＤ  ＣＣ間のＳＲＳ切り替えのサポートを目的としており、ＳＲＳ送信に利用可能なＣＣは、物理ダウンリンク共有チャネル（ＰＤＳＣＨ）のＣＡに利用可能なＣＣに対応する。一方、ＵＥは、物理アップリンク共有チャネル（ＰＵＳＣＨ）のＣＡに利用可能なＣＣをほとんど有していない。
【００１３】
ＳＲＳベースのキャリア切り替えは単に、特定の時間リソースにおいて、ＵＥが１つのキャリア（たとえば、Ｆ１）上で如何なる信号も送信しない一方、別のキャリア（たとえば、Ｆ２）上でＳＲＳを送信することを意味する。たとえば、Ｆ１およびＦ２としては、それぞれプライマリセル（ＰＣｅｌｌ）およびセカンダリセル（ＳＣｅｌｌ）も可能であるし、両者ともにＳＣｅｌｌであることも可能である。
【００１４】
無線測定
ＵＥ無線測定
モビリティ（たとえば、セル選択、セル再選択、ハンドオーバ、ＲＲＣ再確立、リダイレクションによる接続解放等）、ドライブテストの最小化、自己組織化ネットワーク（ＳＯＮ）、位置決め等のさまざまな機能をサポートするため、ＵＥは、隣接セルにより送信された信号に対して１つまたは複数の測定を実行する必要がある。このような測定の実行に先立って、ＵＥは、セルを識別するとともに、その物理セル識別情報（ＰＣＩ）を決定する必要がある。したがって、ＰＣＩの決定も一種の測定である。
【００１５】
ＵＥは、測定設定または要求された測定を実行するようにＵＥを設定するためにネットワークノード（たとえば、サービングｅＮｏｄｅＢ、位置決めノード等）により送信されたメッセージもしくは情報エレメント（ＩＥ）である補助データ／情報を受信する。ここには、たとえばキャリア周波数、無線アクセス技術（ＲＡＴ）、測定の種類（たとえば、参照信号受信電力（ＲＳＲＰ））、上位レイヤ時間領域フィルタリング、測定帯域幅関連パラメータ等に関する情報を含んでいてもよい。
【００１６】
測定は、いくつかの既知の参照シンボルまたはパイロットシーケンスにわたって、サービングセルおよび隣接セルに対してＵＥにより行われる。また、測定は、周波数内キャリア、周波数間キャリアのほか、ＲＡＴ間キャリア（ＵＥの能力（たとえば、そのＲＡＴをサポートしているか）による）上でセルに対して行われる。
【００１７】
ギャップを要するＵＥの周波数間およびＲＡＴ間測定を可能にするため、ネットワークは、測定ギャップを設定する必要がある。ＬＴＥに対しては、いずれも測定ギャップ長６ｍｓの２つの周期的測定ギャップパターンとして、
繰り返し周期４０ｍｓの測定ギャップパターン＃０、および
繰り返し周期８０ｍｓの測定ギャップパターン＃１、
が規定されている。
【００１８】
高速パケットアクセス（ＨＳＰＡ）において、周波数間およびＲＡＴ間測定は、同じく一種のネットワーク設定測定ギャップである圧縮モードギャップにおいて実行される。
【００１９】
また、一部の測定では、ＵＬにおいてＵＥにより送信された信号をＵＥが測定することが必要となる場合もある。これらの測定は、無線リソース制御（ＲＲＣ）接続状態または（ＨＳＰＡにおける）ＣＥＬＬ＿ＤＣＨ状態のほか、低アクティビティＲＲＣ状態（たとえば、アイドル状態、ＨＳＰＡにおけるＣＥＬＬ＿ＦＡＣＨ状態、ＨＳＰＡにおけるＵＲＡ＿ＰＣＨおよびＣＥＬＬ＿ＰＣＨ状態）のＵＥにより行われる。
【００２０】
マルチキャリアまたはＣＡシナリオにおいて、ＵＥは、プライマリコンポーネントキャリア（ＰＣＣ）上でのセルに対する測定のほか、１つまたは複数のセカンダリコンポーネントキャリア（ＳＣＣ）上でのセルに対する測定を実行するようにしてもよい。
【００２１】
測定は、さまざまな目的で行われる。いくつかの例示的な測定目的としては、モビリティ、位置決め、自己組織化ネットワーク（ＳＯＮ）、ドライブテストの最小化（ＭＤＴ）、運用と保守（Ｏ＆Ｍ）、ネットワーク計画および最適化等が挙げられるが、これらに限定されない。
【００２２】
測定は通常、数百ミリ秒〜数秒のオーダのより長い持続時間にわたって実行される。シングルキャリアおよびＣＡに同じ測定が適用可能である。ただし、ＣＡにおいては、測定要件が異なる。たとえば、測定周期は、ＣＡにおいて異なっていてもよい（すなわち、ＳＣＣがアクティブ化されているか否かに応じて、長周期化することも可能であるし、より短周期化することも可能である）。これは、ＵＥの能力（すなわち、ＣＡ対応のＵＥがＳＣＣに対して、ギャップありの測定を実行可能であるか、ギャップなしの測定を実行可能であるか）により決まるものであってもよい。
【００２３】
ＬＴＥにおけるモビリティ測定の例としては、
参照シンボル受信電力（ＲＳＲＰ）、および
参照シンボル受信品質（ＲＳＲＱ）、
が挙げられるが、これらに限定されない。
【００２４】
ＨＳＰＡにおけるモビリティ測定の例としては、
共通パイロットチャネル受信信号コード電力（ＣＰＩＣＨ  ＲＳＣＰ）、および
ＣＰＩＣＨ  Ｅｃ／Ｎｏ、
が挙げられるが、これらに限定されない。
【００２５】
ＧＳＭ／ＧＥＲＡＮにおけるモビリティ測定の一例は、
ＧＳＭキャリアＲＳＳＩ、
である。
【００２６】
ＣＤＭＡ２０００システムにおけるモビリティ測定の例としては、
ＣＤＭＡ２０００  １ｘＲＴＴのパイロット強度、
ＨＲＰＤのパイロット強度、
が挙げられるが、これらに限定されない。
【００２７】
また、モビリティ測定には、ＬＴＥ、ＨＳＰＡ、ＣＤＭＡ２０００、ＧＳＭ等に属し得るセルの識別または検出を含んでいてもよい。セル検出には、少なくとも物理セル識別情報（ＰＣＩ）の識別と、その後の識別セルの信号測定（たとえば、ＲＳＲＰ）の実行とを含む。また、ＵＥは、ＵＥのセルグローバルＩＤ（ＣＧＩ）の取得を必要とする場合がある。ＨＳＰＡまたはＬＴＥにおいて、サービングセルは、ターゲットセルのシステム情報（ＳＩ）の取得をＵＥに要求することができる。より具体的には、ＳＩがＵＥにより読み出されることによって、セルを一意に識別するターゲットセルのセルグローバル識別子（ＣＧＩ）が取得される。また、ＵＥは、ＣＳＧインジケータ、ＣＳＧ近接検出等の他の情報をターゲットセルから取得することを要求される場合もある。
【００２８】
ＬＴＥにおける位置決め測定の例は、
参照信号時間差（ＲＳＴＤ）、
ＵＥ受信−送信（ＲＸ−ＴＸ）時間差測定、
である。
【００２９】
ＵＥのＲＸ−ＴＸ時間差測定の場合、ＵＥは、ＤＬ参照信号のほか、ＵＬ送信信号に対して測定を実行する必要がある。
【００３０】
無線リンク保守（ＲＬＭ）、ＭＤＴ、ＳＯＮ、または他の目的に使用可能な他の測定の例としては、
制御チャネル障害率または品質推定値であって、たとえば、
ページングチャネル障害率、および
ブロードキャストチャネル障害率、ならびに
物理レイヤ問題検出であって、たとえば、
同期はずれ（ｏｕｔ  ｏｆ  ｓｙｎｃ）検出、
同期（ｉｎ−ｓｙｎｃ）検出、
無線リンクモニタリング、および
無線リンク障害決定もしくはモニタリング、
が挙げられるが、これらに限定されない。
【００３１】
ＵＥにより実行されたＣＳＩ測定は、ネットワークによってスケジューリング、リンク適応等に用いられる。ＣＳＩ測定の例としては、チャネル品質インジケータ（ＣＱＩ）、プリコーディングマトリクスインジケータ（ＰＭＩ）、ランクインジケータ（ＲＩ）等が挙げられる。
【００３２】
ＵＥにより実行された無線測定は、ＵＥによって、１つまたは複数の無線運用タスクに用いられる。このようなタスクの例としては、ネットワークへの測定の報告が挙げられ、ネットワークがこれらの測定をさまざまなタスクに使用し得る。たとえば、ＲＲＣ接続状態において、ＵＥは、無線測定をサービングノードに報告する。報告されたＵＥ測定に応答して、サービングネットワークノードは、ある決定を下す（たとえば、セル変更を目的として、モビリティコマンドをＵＥに送信するようにしてもよい）。セル変更の例としては、ハンドオーバ、ＲＲＣ接続の再確立、リダイレクションによるＲＲＣ接続の解放、ＣＡにおけるＰＣｅｌｌ変更、ＰＣＣにおけるＰＣＣ変更等が挙げられる。アイドルまたは低アクティビティ状態においては、セル変更の一例がセル再選択である。別の例において、ＵＥ自体は、無線測定を用いて、タスク（たとえば、セル選択、セル再選択等）を実行するようにしてもよい。
【００３３】
無線ネットワークノード無線測定
モビリティ（たとえば、セル選択、ハンドオーバ等）、ＵＥの位置決め、リンク適応、スケジューリング、負荷分散、アドミッション制御、干渉管理、干渉軽減等のさまざまな機能をサポートするため、無線ネットワークノードは、無線ネットワークノードにより送信および／または受信された信号に対する無線測定も実行する。このような測定の例としては、信号対雑音比（ＳＮＲ）、信号対干渉雑音比（ＳＩＮＲ）、受信干渉電力（ＲＩＰ）、ブロック誤り率（ＢＬＥＲ）、ＵＥとそれ自体との間の伝搬遅延、送信キャリア電力、特定信号の送信電力（たとえば、参照信号のＴｘ電力）、位置決め測定等が挙げられるが、これらに限定されない。
【００３４】
ＬＴＥにおけるＣＡ関連の中断
現行のＣＡ関連の中断要件は、たとえば以下に引き写すように、３６．１３３（ｖ１３．３．０）において指定されている。
＝＝＝＝＝＝＜＜＜＜＜＜  ＴＳ  ３６．１３３  ＞＞＞＞＞＝＝＝＝＝＝
７．８．２．３  帯域内ＣＡのＳＣｅｌｌアクティブ化／非アクティブ化における中断
［２］に規定の通り、帯域内ＳＣｅｌｌがアクティブ化または非アクティブ化される場合、ＵＥは、第７．７項に規定のアクティブ化／非アクティブ化遅延中にＰＣｅｌｌ上で最大５つのサブフレームの中断が許可される。この中断は、ＰＣｅｌｌのアップリンクおよびダウンリンクの両者に対する。
７．８．２．４  帯域間ＣＡのＳＣｅｌｌアクティブ化／非アクティブ化における中断
［２］に規定の通り、帯域間ＳＣｅｌｌがアクティブ化または非アクティブ化される場合、中断を要するＵＥは、第７．７項に規定のアクティブ化／非アクティブ化遅延中にＰＣｅｌｌ上で最大１つのサブフレームの中断が許可される。この中断は、ＰＣｅｌｌのアップリンクおよびダウンリンクの両者に対する。
＝＝＝＝＝＝＜＜＜＜＜＜  ＴＳ  ３６．１３３  ＞＞＞＞＞＝＝＝＝＝＝
【００３５】
ＳＲＳ切り替えによっても、同様の中断が発生し得る。
【００３６】
ライセンスアシストアクセスおよびフレーム構造タイプ３
ＬＴＥを用いたアンライセンススペクトルへのライセンスアシストアクセス
アンライセンススペクトル（たとえば、５１５０ＭＨｚ〜５９２５ＭＨｚ等の５〜６ＧＨｚ範囲内）は、複数の異なる技術（たとえば、ＬＴＥおよびＩＥＥＥ  Ｗｉ−Ｆｉ）により同時に使用可能である。「ライセンスアシストアクセス（ＬＡＡ）」は、ＬＴＥ機器がアンライセンス無線スペクトルでも動作することを許可するものである。なお、他のスペクトル（すなわち、北米の３．５ＧＨｚ）においても、同じＬＡＡの概念を使用可能である。ＬＡＡモードにおいては、機器がライセンススペクトル（プライマリセルすなわちＰＣｅｌｌ）で接続され、キャリアアグリゲーションを使用することにより、アンライセンススペクトル（セカンダリセルすなわちＳＣｅｌｌ）における別の送信容量による利益を得る。したがって、ＵＥには、アンライセンススペクトルにおける１つまたは複数のＳＣｅｌｌを設定可能であり、これらのＳＣｅｌｌがフレーム構造タイプ３で動作する。
【００３７】
アンライセンススペクトルは、他の無線技術（たとえば、Ｗｉ−Ｆｉ、レーダ、Ｂｌｕｅｔｏｏｔｈ、固定衛星システム等）との共有が必要なため、いわゆるリッスンビフォアトーク（ＬＢＴ）法の適用が必要となる。ＬＢＴには、送信の有無に関する所定の最小時間にわたる媒体のセンシングと、チャネルがビジーである場合のバックオフ（すなわち、チャネルに送信が存在する場合の非送信）とを伴う。
【００３８】
図３は、ＬＴＥキャリアアグリゲーションを用いたアンライセンススペクトルへのライセンスアシストアクセスの一例を示している。
【００３９】
ＬＴＥを用いたアンライセンススペクトルのスタンドアロンアクセス
アンライセンススペクトルにおいて完全にスタンドアロンで動作するＬＴＥシステムも存在することになる。ＬＡＡと「アンライセンス帯域におけるスタンドアロンＬＴＥ」との差異は、スタンドアロン使用ではアンライセンスキャリアとアグリゲートされるライセンスキャリアが一切存在しない一方、ＬＡＡ運用においてはアンライセンスＬＴＥキャリアが常にライセンスキャリアとアグリゲートされることになる点である。スタンドアロン運用は、ＬＴＥのアンライセンススペクトル使用においてもＵＬが許可されることを意味する。ライセンスキャリアからのサポートが一切存在しないことになるため、スタンドアロンＬＴＥシステムは、アンライセンススペクトルにおけるすべての機能を担う。
【００４０】
スタンドアロン運用においては、ＵＥがシングルキャリアのみを使用可能であってもよいし、２つ以上のアンライセンスキャリアを同時にアグリゲート可能であってもよい。その場合は、ＰＣｅｌｌおよびＳＣｅｌｌの両者がアンライセンススペクトルに含まれることになる。
【００４１】
デュアルコネクティビティモードにおけるＬＡＡ運用
アンライセンスキャリアは、デュアルコネクティビティ（ＤＣ）の様態でライセンスキャリアとのアグリゲートも可能である。ＤＣモードにおいては、マスターエボルブドノードＢ（ｅＮＢ）（ＭｅＮＢ）における少なくとも１つのコンポーネントキャリア（ＣＣ）をＰＣｅｌｌと称し、セカンダリｅＮＢ（ＳｅＮＢ）における少なくとも１つのＣＣをＰＳＣｅｌｌと称する。ＰＣｅｌｌおよびＰＳＣｅｌｌは、機能的に類似するノードである。ただし、ＰＳＣｅｌｌのアクティブ化／非アクティブ化／設定／設定解除は、ＰＣｅｌｌによって制御される。ＤＣ運用において接続されたノードは、互いに独立している。このため、すべての制御シグナリングが別個に行われる。
【００４２】
ＬＴＥのライセンス供給運用
ライセンス共有スペクトルにおいては、２つ以上のＲＡＴがスペクトルにアクセス可能であり、すべてのＲＡＴが優先順位に関して等しいステータスを有する。許可されたシステムは、フェアネス基準（たとえば、ＬＢＴ）に基づいて、スペクトルにアクセスする。これは、スペクトルの水平共有とも称する。
【００４３】
将来的には、このようなスペクトルシナリオにおいても、ＬＴＥが使用される可能性がある。
【発明の概要】
【００４４】
例示的な一実施形態によれば、ユーザ機器における方法が開示される。この方法は、ＵＥが、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定することを含む。すなわち、ＵＥが、第１の組の参照時間リソース（Ｒ１）を用いて、１つまたは複数の無線測定を実行することが予想されるものと決定する。この方法は、決定した第１の組の参照時間リソース（Ｒ１）に基づいて、第２のキャリア周波数（Ｆ２）で動作する第２のセル（ｃｅｌｌ２）上でＲＳを送信するＲＳキャリアベース切り替えを適応的に実行することを含む。
【００４５】
ユーザ機器は、第１の組の参照時間リソースが無線測定に確実に利用可能となるように、決定した第１の組の参照時間リソースに基づいて、第２のキャリア周波数で動作する第２のセル上で参照信号を送信するための参照信号キャリアベース切り替えを適応的に実行するようにしてもよい。第１の組の参照時間リソースは、無線フレームごとのダウンリンクサブフレーム番号０もしくはダウンリンクサブフレーム番号５、位置決め参照信号を含むダウンリンクサブフレーム、発見信号を含むダウンリンクサブフレーム、ならびにＵＥ  Ｒｘ−Ｔｘ時間差測定用の無線フレームごとの少なくとも１つのダウンリンクサブフレームおよびアップリンクサブフレーム、のうちの少なくとも１つを含んでいてもよい。ユーザ機器が、第１の組の参照時間リソースを用いて、第１のキャリア周波数で動作する少なくとも１つの第１のセル上で１つまたは複数の無線測定を実行することになっていると決定することは、ユーザ機器が、既知の測定サンプル周期性、およびネットワークノードから受信された測定設定または指標、のうちの少なくとも一方に基づき、第１の組の参照時間リソースを用いて、第１のキャリア周波数で動作する少なくとも１つの第１のセル上で１つまたは複数の無線測定を実行することになっていると決定することを含んでいてもよい。
【００４６】
決定した第１の組の参照時間リソースに基づいて、第２のキャリア周波数で動作する第２のセル上で参照信号を送信するための参照信号キャリアベース切り替えを適応的に実行することは、参照信号キャリアベース切り替え設定を適応させることを含んでいてもよい。これは、参照信号切り替え周期、参照信号キャリアベース切り替えに関与する複数または一組のキャリア、キャリアが切り替えられるシーケンス、参照信号切り替えループ長、１つまたは複数の参照信号送信パラメータ、参照信号キャリアベース切り替え中のキャリア滞在時間、ユーザ機器が第２のキャリア周波数に切り替わった場合の第２のキャリア周波数での参照信号送信前の最小または最大時間、およびユーザ機器が第２のキャリア周波数から切り替わった場合の第２のキャリア周波数での参照信号送信後の最小または最大時間のうちの１つまたは複数を適応させることを含んでいてもよい。ユーザ機器は、所定のルール、所定の設定、およびネットワークノードから受信された補助データのうちの少なくとも１つに基づいて、前記参照信号キャリアベース切り替えを適応的に実行するようにしてもよい。
【００４７】
この方法は、第２の組の時間リソースに基づいて、第２のキャリア周波数で動作する第２のセル上で参照信号を送信するための参照信号キャリアベース切り替えを適応的に実行することをさらに含んでいてもよく、第２の組の時間リソースは、ユーザ機器によって、第１のキャリア周波数上のさらなるセルおよび第２のキャリア周波数上のさらなるセルの一方において測定を実行するのに用いられると予想される。
【００４８】
この方法は、決定した第１の組の参照時間リソースを用いて、１つまたは複数の測定を実行することをさらに含んでいてもよい。この方法は、適応的な参照信号キャリアベース切り替えの結果を１つまたは複数の運用タスクに使用することをさらに含んでいてもよい。
【００４９】
参照信号は、サウンディング参照信号（ＳＲＳ）であってもよい。ただし、参照信号は、たとえば復調参照信号、ＵＥ固有参照信号、またはパイロット信号等、その他任意の種類の参照信号であってもよい。
【００５０】
特定の実施形態においては、以下のうちの１つまたは複数が適用されてもよい。
この方法は、測定の実行に用いられる重要な信号の中断の抑制、最小化、または回避のためにＵＥがＲＳ切り替えを適応させ得ることに関する能力を別のノード（たとえば、ネットワークノードまたは別のＵＥ）に伝えることを含んでいてもよい。
この方法は、適応的なＲＳキャリアベース切り替えの結果を１つまたは複数の運用タスクに使用することを含んでいてもよい。
【００５１】
例示的な別の実施形態によれば、ユーザ機器が開示される。このユーザ機器は、１つまたは複数のプロセッサを備える。１つまたは複数のプロセッサは、ＵＥが、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定するように設定されている。１つまたは複数のプロセッサは、決定した第１の組の参照時間リソース（Ｒ１）に基づいて、第２のキャリア周波数（Ｆ２）で動作する第２のセル（ｃｅｌｌ２）上でＲＳを送信するＲＳキャリアベース切り替えを適応的に実行するように設定されている。
【００５２】
例示的な別の実施形態によれば、ネットワークノードにおける方法が開示される。この方法は、ＵＥが、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定することを含む。この方法は、ＵＥが、決定した第１の組の参照時間リソース（Ｒ１）に基づいて、第２のキャリア周波数（Ｆ２）で動作する第２のセル（ｃｅｌｌ２）上でＲＳを送信するＲＳキャリアベース切り替えを適応的に実行することになっていると決定することを含む。この方法は、適応的なＲＳキャリアベース切り替えの結果を１つまたは複数の運用タスクに使用することを含む。
【００５３】
この方法は、決定した第１の組の参照時間リソースに基づいて、第２のキャリア周波数で動作する第２のセル上で参照信号を送信するための参照信号キャリアベース切り替えを適応的に実行するようにユーザ機器を設定することを含んでいてもよい。
【００５４】
第１の組の参照時間リソースは、無線フレームごとのダウンリンクサブフレーム番号０もしくはダウンリンクサブフレーム番号５、位置決め参照信号を含むダウンリンクサブフレーム、発見信号を含むダウンリンクサブフレーム、ならびにＵＥ  Ｒｘ−Ｔｘ時間差測定用の無線フレームごとの少なくとも１つのダウンリンクサブフレームおよびアップリンクサブフレーム、のうちの少なくとも１つを含んでいてもよい。
【００５５】
この方法は、測定設定をユーザ機器に送信することをさらに含んでいてもよく、測定設定は、第１の組の参照時間リソースを示す。
【００５６】
参照信号は、サウンディング参照信号（ＳＲＳ）であってもよい。ただし、参照信号は、たとえば復調参照信号、ＵＥ固有参照信号、またはパイロット信号等、その他任意の種類の参照信号であってもよい。
【００５７】
特定の実施形態においては、以下のうちの１つまたは複数が適用されてもよい。
この方法は、ＲＳキャリアベース切り替えの適応によって、ＲＳ切り替えがＵＥ測定手順に及ぼす影響を最小化、回避、または抑制し得ることに関するＵＥの能力を取得することを含んでいてもよい。
【００５８】
例示的な別の実施形態によれば、ネットワークノードが開示される。このネットワークノードは、１つまたは複数のプロセッサを備える。１つまたは複数のプロセッサは、ＵＥが、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定するように設定されている。１つまたは複数のプロセッサは、ＵＥが、決定した第１の組の参照時間リソース（Ｒ１）に基づいて、第２のキャリア周波数（Ｆ２）で動作する第２のセル（ｃｅｌｌ２）上でＲＳを送信するＲＳキャリアベース切り替えを適応的に実行することになっていると決定するように設定されている。１つまたは複数のプロセッサは、適応的なＲＳキャリアベース切り替えの結果を１つまたは複数の運用タスクに使用するように設定されている。
【００５９】
本開示の特定の実施形態は、１つまたは複数の技術的利点をもたらし得る。たとえば、特定の実施形態においては、適応的ＲＳキャリアベース切り替えに関するＵＥの挙動が十分に規定されていることから、ＲＳ品質に依拠したダウンリンク（ＤＬ）および／またはアップリンク（ＵＬ）スケジューリング等の手順が影響を受け得ない。別の例として、特定の実施形態においては、ＵＥがＲＳキャリアベース切り替えを実行している間に、測定を実行するとともに、すべての要件を満足可能であってもよい。さらに別の例として、特定の実施形態においては、ＲＲＭ測定によって決まるＵＥモビリティ手順が、ＲＳ切り替えによって劣化し得ない。さらに別の例として、特定の実施形態においては、ＵＥがＲＳ切り替えを実行している場合であっても、ＳＩ読み出し品質が維持され得るのが好都合である。当業者にとっては、他の利点についても容易に明らかとなり得る。特定の実施形態は、列挙した利点を有していなくてもよいし、列挙した利点の一部または全部を有していてもよい。
【００６０】
以下、開示の実施形態ならびにそれぞれの特徴および利点のより完全な理解のため、添付の図面と併せて、以下の説明を参照する。
【図面の簡単な説明】
【００６１】
【図１】ＵＬ送信サブフレームを示した図である。
【図２】３ＤＬ：２ＵＬのＴＤＤの一例を示した図である。
【図３】ＬＴＥキャリアアグリゲーションを用いたアンライセンススペクトルへのライセンスアシストアクセスの一例を示した図である。
【図４】特定の実施形態に係る、例示的な無線通信ネットワークの模式図である。
【図５】特定の実施形態に係る、ＳＲＳキャリアベース切り替えの例示的な設定を示した図である。
【図６】特定の実施形態に係る、ユーザ機器における方法のフロー図である。
【図７】特定の実施形態に係る、ネットワークノードにおける方法のフロー図である。
【図８】特定の実施形態に係る、ネットワークノードにおける方法のフロー図である。
【図９】特定の実施形態に係る、例示的な無線機器の模式的ブロック図である。
【図１０】特定の実施形態に係る、例示的なネットワークノードの模式的ブロック図である。
【図１１】特定の実施形態に係る、例示的な無線ネットワークコントローラまたはコアネットワークノードの模式的ブロック図である。
【図１２】特定の実施形態に係る、例示的な無線機器の模式的ブロック図である。
【図１３】特定の実施形態に係る、例示的なネットワークノードの模式的ブロック図である。
【図１４】特定の実施形態に係る、ユーザ機器における方法のフロー図である。
【図１５】特定の実施形態に係る、ネットワークノードにおける方法のフロー図である。
【発明を実施するための形態】
【００６２】
ＳＲＳキャリアベース切り替えにより、ＵＥの１つまたは複数のサービングセルにおいて中断が発生する。この中断は、測定の実行にＵＥが使用する参照信号に影響を及ぼし得る。既存の手法によれば、ＵＥ測定要件は、ＳＲＳ切り替え下で緩和される。ただし、これは、特定種類の重要な測定（たとえば、位置決め等）に関しては受け入れられない場合がある。本出願人は、ＳＲＳ切り替え下での測定性能の劣化を回避するため、新たなメカニズムが必要であることを認識した。
【００６３】
本開示では、既存の手法と関連付けられた上記および他の欠陥に対処し得る種々実施形態を検討する。特定の実施形態においては、ＵＥが測定を実行しているキャリアのセルに属する重要な信号（たとえば、参照信号、発見参照信号（ＤＲＳ）、またはＳＩを伴うチャネル）を含むサブフレームにおける中断の最小化または回避のため、ＵＥがＳＲＳキャリアベース切り替え設定を適応させる。この適応的なＳＲＳキャリアベース切り替え動作によって、ＵＥは、測定要件を満たすことができる。
【００６４】
例示的な一実施形態によれば、ユーザ機器における方法が開示される。ＵＥは、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定する。特定の実施形態において、ＵＥは、測定の実行に用いられる重要な信号（たとえば、参照信号またはＳＩを伴うチャネル）の中断の抑制、最小化、または回避のためにＵＥがＳＲＳ切り替えを適応させ得ることに関する第１のノードの能力を別のノード（たとえば、ネットワークノードまたは別のＵＥ）に伝えるようにしてもよい。ＵＥは、決定した第１の組の参照時間リソース（Ｒ１）に基づいて、第２のキャリア周波数（Ｆ２）で動作する第２のセル（ｃｅｌｌ２）上でＳＲＳを送信するＳＲＳキャリアベース切り替えを適応的に実行する。特定の実施形態において、ＵＥは、適応的なＳＲＳキャリアベース切り替えの結果を１つまたは複数の運用タスクに使用する。
【００６５】
例示的な別の実施形態によれば、ネットワークノードにおける方法が開示される。ネットワークノードは、ＵＥが、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定する。特定の実施形態において、ネットワークノードは、ＳＲＳキャリアベース切り替えの適応によって、ＳＲＳ切り替えがＵＥ測定手順に及ぼす影響を最小化、回避、または抑制し得ることに関するＵＥの能力を取得するようにしてもよい。ネットワークノードは、ＵＥが、決定した第１の組の参照時間リソース（Ｒ１）に基づいて、第２のキャリア周波数（Ｆ２）で動作する第２のセル（ｃｅｌｌ２）上でＳＲＳを送信するＳＲＳキャリアベース切り替えを適応的に実行することになっていると決定する。ネットワークノードは、適応的なＳＲＳキャリアベース切り替えの結果を１つまたは複数の運用タスクに使用する。
【００６６】
例示的な別の実施形態によれば、ネットワークノードにおける方法が開示される。ネットワークノードは、ＵＥが、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定する。特定の実施形態において、ネットワークノードは、ＳＲＳキャリアベース切り替えの適応によって、ＳＲＳ切り替えがＵＥ測定手順に及ぼす影響を最小化、回避、または抑制し得ることに関するＵＥの能力を取得する。ネットワークノードは、決定した第１の組の参照時間リソース（Ｒ１）に基づいて、第２のキャリア周波数（Ｆ２）で動作する第２のセル（ｃｅｌｌ２）上でＳＲＳを送信するＳＲＳキャリアベース切り替えを適応的に実行するようにＵＥを設定する。ネットワークノードは、適応的なＳＲＳキャリアベース切り替えの結果を１つまたは複数の運用タスクに使用する。
【００６７】
本開示の特定の実施形態は、１つまたは複数の技術的利点をもたらし得る。たとえば、特定の実施形態においては、適応的ＳＲＳキャリアベース切り替えに関するＵＥの挙動が十分に規定されていることから、ＳＲＳ品質に依拠したＤＬおよび／またはＵＬスケジューリング等の手順が影響を受け得ない。別の例として、特定の実施形態においては、ＵＥがＳＲＳキャリアベース切り替えを実行している間に、測定を実行するとともに、すべての要件を満足可能であってもよい。さらに別の例として、特定の実施形態においては、ＲＲＭ測定によって決まるＵＥモビリティ手順が、ＳＲＳ切り替えによって劣化し得ない。さらに別の例として、特定の実施形態においては、ＵＥがＳＲＳ切り替えを実行している場合であっても、ＳＩ読み出し品質が維持され得るのが好都合である。当業者にとっては、他の利点についても容易に明らかとなり得る。特定の実施形態は、列挙した利点を有していなくてもよいし、列挙した利点の一部または全部を有していてもよい。
【００６８】
図４は、特定の実施形態に係る、ネットワーク１００の一実施形態を示したブロック図である。ネットワーク１００は、（区別なく無線機器１１０とも称し得る）１つまたは複数のＵＥ１１０および（区別なくｅＮＢ１１５とも称し得る）１つまたは複数のネットワークノード１１５を含む。ＵＥ１１０は、無線インターフェースを通じてネットワークノード１１５と通信するようにしてもよい。たとえば、ＵＥ１１０は、ネットワークノード１１５のうちの１つもしくは複数への無線信号の送信ならびに／またはネットワークノード１１５のうちの１つもしくは複数からの無線信号の受信を行うようにしてもよい。無線信号は、ボイストラフィック、データトラフィック、制御信号、および／またはその他任意適当な情報を含んでいてもよい。特定の実施形態において、ネットワークノード１１５と関連付けられた無線信号カバレッジのエリアは、セル１２５と称し得る。いくつかの実施形態において、ＵＥ１１０は、機器間（Ｄ２Ｄ）能力を有していてもよい。このため、ＵＥ１１０は、別のＵＥに対して直接、信号の受信および／または信号の送信が可能であってもよい。
【００６９】
特定の実施形態において、ネットワークノード１１５は、無線ネットワークコントローラとインターフェースしてもよい。無線ネットワークコントローラは、ネットワークノード１１５を制御するとともに、特定の無線リソース管理機能、モビリティ管理機能、および／または他の適当な機能を提供するようにしてもよい。特定の実施形態において、無線ネットワークコントローラの機能は、ネットワークノード１１５に含まれていてもよい。無線ネットワークコントローラは、コアネットワークノードとインターフェースしてもよい。特定の実施形態において、無線ネットワークコントローラは、相互接続ネットワーク１２０を介して、コアネットワークノードとインターフェースしてもよい。相互接続ネットワーク１２０は、オーディオ、ビデオ、信号、データ、メッセージ、またはこれらの任意の組み合わせを送信可能な如何なる相互接続システムを表していてもよい。相互接続ネットワーク１２０には、公衆交換電話網（ＰＳＴＮ）、パブリックもしくはプライベートデータネットワーク、ローカルエリアネットワーク（ＬＡＮ）、メトロポリタンエリアネットワーク（ＭＡＮ）、ワイドエリアネットワーク（ＷＡＮ）、ローカル、リージョナル、もしくはインターネット等のグローバル通信もしくはコンピュータネットワーク、有線もしくは無線ネットワーク、企業イントラネット、またはこれらの組み合わせを含むその他任意適当な通信リンクの全部または一部を含んでいてもよい。
【００７０】
いくつかの実施形態において、コアネットワークノードは、ＵＥ１１０の通信セッションの確立およびその他さまざまな機能を管理するようにしてもよい。ＵＥ１１０は、非アクセス層レイヤを用いて、コアネットワークノードと特定の信号を交換するようにしてもよい。非アクセス層シグナリングにおいては、無線アクセスネットワークを通じて、ＵＥ１１０とコアネットワークノードとの間で信号が透過的に受け渡されてもよい。特定の実施形態において、ネットワークノード１１５は、たとえばＸ２インターフェース等のノード間インターフェースを通じて、１つまたは複数のネットワークノードとインターフェースしてもよい。
【００７１】
上述の通り、ネットワーク１００の例示的な実施形態には、１つまたは複数の無線機器１１０と、無線機器１１０と（直接または間接的に）通信可能な１つまたは複数の異なる種類のネットワークノードとを含んでいてもよい。
【００７２】
いくつかの実施形態においては、非限定的な用語ＵＥが用いられる。本明細書に記載のＵＥ１１０としては、セルラーまたは移動体通信システムにおいてネットワークノード１１５または別のＵＥと通信可能な任意の種類の無線機器が可能である。また、ＵＥ１１０は、無線通信機器、ターゲット機器、Ｄ２Ｄ  ＵＥ、機械式通信ＵＥまたは機械間通信（Ｍ２Ｍ）が可能なＵＥ、低コストおよび／または低複雑性ＵＥ、ＵＥが搭載されたセンサ、ＰＤＡ、タブレット、ｉＰａｄ、移動端末、スマートフォン、ラップトップ組込型機器（ＬＥＥ）、ラップトップ搭載型機器（ＬＭＥ）、ＵＳＢドングル、加入者宅内機器（ＣＰＥ）等であってもよい。ＵＥ１１０は、そのサービングセルに関して通常カバレッジ下で動作してもよいし、拡張カバレッジ下で動作してもよい。拡張カバレッジは、区別なく拡大カバレッジとも称し得る。また、ＵＥ１１０は、複数のカバレッジレベル（たとえば、通常カバレッジ、拡張カバレッジレベル１、拡張カバレッジレベル２、拡張カバレッジレベル３等）で動作してもよい。また、場合によっては、ＵＥ１１０がカバレッジ外シナリオで動作してもよい。
【００７３】
本明細書において、用語「ネットワークノード」は、無線ネットワークノードまたは別のネットワークノード（たとえば、コアネットワークノード、ＭＳＣ、モビリティ管理エンティティ（ＭＭＥ）、運用と管理（Ｏ＆Ｍ）、ＯＳＳ、自己組織化ネットワーク（ＳＯＮ）、位置決めノード（たとえば、Ｅ−ＳＭＬＣ）、ドライブテスト最小化（ＭＤＴ）ノード等）を表していてもよい。
【００７４】
本明細書において使用する用語「無線ネットワークノード」としては、基地局（ＢＳ）、無線基地局、送受信基地局（ＢＴＳ）、基地局コントローラ（ＢＳＣ）、無線ネットワークコントローラ（ＲＮＣ）、エボルブドノードＢ（ｅＮＢまたはｅＮｏｄｅＢ）、ノードＢ、ＭＳＲ  ＢＳ等のマルチスタンダード無線機（ＭＳＲ）無線ノード、中継ノード、中継を制御するドナーノード、無線アクセスポイント（ＡＰ）、送信ポイント、送信ノード、リモート無線ユニット（ＲＲＵ）のリモート無線ヘッド（ＲＲＨ）、分散アンテナシステム（ＤＡＳ）のノード等のいずれかをさらに備え得る無線ネットワークに含まれる任意の種類のネットワークノードが可能である。
【００７５】
ネットワークノードおよびＵＥ等の専門用語は、非限定的に考えるものとし、特に、２つの間の特定の階層関係を暗示するものではない。一般的には、「ｅＮｏｄｅＢ」を機器１、「ＵＥ」を機器２と考えることも可能であり、これら２つの機器は、何らかの無線チャネルを通じて互いに通信する。
【００７６】
ＵＥ１１０、ネットワークノード１１５、および他のネットワークノード（無線ネットワークコントローラまたはコアネットワークノード等）の例示的な実施形態については、図９〜図１３に関して以下により詳しく説明する。
【００７７】
図４は、ネットワーク１００の特定の構成を示しているものの、本開示では、本明細書に記載の種々実施形態が任意適当な設定の多様なネットワークに適用可能であるものと考える。たとえば、ネットワーク１００は、任意適当な数のＵＥ１１０およびネットワークノード１１５のほか、ＵＥ間またはＵＥと別の通信機器（固定電話等）との間の通信をサポートするのに適した任意の付加的な要素を含んでいてもよい。
【００７８】
さらに、ＬＴＥネットワークにおける実装として特定の実施形態を説明可能であるが、これらの実施形態は、（５Ｇ規格を含む）任意適当な通信規格をサポートするとともに任意適当な構成要素を使用する任意適当な種類の電気通信システムにおいて実装されるようになっていてもよく、また、ＵＥが信号（たとえば、データ）を受信および／または送信する任意の無線アクセス技術（ＲＡＴ）またはマルチＲＡＴシステムに適用可能である。たとえば、本明細書に記載の種々実施形態は、ＵＴＲＡ、Ｅ−ＵＴＲＡ、狭帯域インターネットオブシングス（ＮＢ−ＩｏＴ）、Ｗｉ−Ｆｉ、Ｂｌｕｅｔｏｏｔｈ、次世代ＲＡＴ（ＮＲ）、４Ｇ、５Ｇ、ＬＴＥ、ＬＴＥアドバンスト、ＵＭＴＳ、ＨＳＰＡ、ＧＳＭ、ｃｄｍａ２０００、ＷＣＤＭＡ、ＷｉＭａｘ、ＵＭＢ、別の適当な無線アクセス技術、または１つもしくは複数の無線アクセス技術の任意適当な組み合わせに適用可能であってもよい。ダウンリンクの無線送信の文脈で特定の実施形態を説明可能であるが、本開示では、種々実施形態がアップリンクにおいても等しく適用可能であるものと考える。
【００７９】
本明細書に記載の種々実施形態においては、前述のノード（ＵＥ、ネットワークノード、または無線ネットワークノード）のいずれかとして、「第１のノード」および／または「第２のノード」が可能である。第１のノードおよび第２のノードは、ライセンススペクトルおよび／またはアンライセンススペクトルにおける送信および受信の少なくとも一方が可能であってもよい。第１および第２のノードのいずれかは、単一または複数のＲＡＴをサポート可能であってもよい。
【００８０】
ＵＥは、ＣＡで動作するように設定されていてもよく、ＤＬおよびＵＬ方向の少なくとも一方における２つ以上のキャリアのアグリゲーションを暗示している。ＣＡによって、ＵＥは複数のサービングセルを有することができ、本明細書において用語「サービング」は、ＵＥに対応するサービングセルが設定され、サービングセル（たとえば、ＰＣｅｌｌまたはＳＣｅｌｌのうちのいずれか）上でネットワークノードに対するデータの受信および／または送信を行い得ることを意味する。データは、物理チャネル（たとえば、ＤＬのＰＤＳＣＨ、ＵＬのＰＵＳＣＨ等）を介して送信または受信される。ＵＥにおいては、上位レイヤシグナリングの使用（たとえば、ＵＥへのＲＲＣ設定メッセージの送信）によって、ネットワークノードによりＣＣ（区別なくキャリアまたはアグリゲートキャリアとも称し得る）、ＰＣＣ、またはＳＣＣが設定される。設定されたＣＣは、そのサービングセル（たとえば、ＰＣｅｌｌ、ＰＳＣｅｌｌ、ＳＣｅｌｌ等）上のＵＥにサーブするためにネットワークノードによって使用される。また、設定されたＣＣは、ＣＣ上で動作するセル（たとえば、ＰＣｅｌｌ、ＳＣｅｌｌ、またはＰＳＣｅｌｌ）および隣接セル上で１つまたは複数の無線測定（たとえば、ＲＳＲＰ、ＲＳＲＱ等）を実行するようにＵＥが使用する。
【００８１】
本明細書において使用するデュアルコネクティビティという用語は、マスターｅＮＢ（ＭｅＮＢ）およびセカンダリｅＮＢ（ＳｅＮＢ）と称する少なくとも２つのノードがＵＥにサービス提供可能な運用モードを表していてもよい。より一般的に、マルチプルコネクティビティ（マルチコネクティビティとしても知られる）運用においては、２つ以上のノード（たとえば、ＭｅＮＢ、ＳｅＮＢ１、ＳｅＮＢ２等）がＵＥにサーブすることが可能である。ＵＥには、ＭｅＮＢおよびＳｅＮＢの両者からのＰＣＣが設定される。ＭｅＮＢおよびＳｅＮＢからのＰＣｅｌｌはそれぞれ、ＰＣｅｌｌおよびＰＳＣｅｌｌと称する。通常、ＰＣｅｌｌおよびＰＳＣｅｌｌは、ＵＥを独立して動作させる。また、ＵＥには、ＭｅＮＢおよびＳｅＮＢそれぞれからの１つまたは複数のＳＣＣが設定される。ＭｅＮＢおよびＳｅＮＢがサーブする対応するセカンダリサービングセルは、ＳＣｅｌｌと称する。通常、ＤＣのＵＥは、ＭｅＮＢおよびＳｅＮＢとの接続それぞれについて、別個のＴＸ／ＲＸを有する。これにより、ＭｅＮＢおよびＳｅＮＢは、それぞれのＰＣｅｌｌおよびＰＳＣｅｌｌ上でＵＥに１つまたは複数の手順（たとえば、無線リンクモニタリング（ＲＬＭ）、間欠受信（ＤＲＸ）サイクル等）を独立して設定可能となる。
【００８２】
本明細書において、ＳＲＳという用語は、任意の種類の参照信号（ＲＳ）を表していてもよく、より一般的には、ネットワークノードがＵＬ信号品質（たとえば、ＵＬ  ＳＮＲ、ＳＩＮＲ等）を決定できるように、ＵＬにおいてＵＥにより送信された物理無線信号を表していてもよい。このような参照信号の例は、サウンディング参照信号、復調参照信号（ＤＭＲＳ）、ＵＥ固有参照信号、またはパイロット信号等である。本明細書に記載の種々実施形態は、任意の種類のＲＳ（すなわち、任意の種類のＲＳを送信するキャリアの切り替え）に適用可能である。
【００８３】
本明細書において、信号という用語は、任意の物理的信号（たとえば、プライマリ同期信号（ＰＳＳ）、セカンダリ同期信号（ＳＳＳ）、セル固有参照信号（ＣＲＳ）、位置決め参照信号（ＰＲＳ）等の参照信号）が考えられる。
【００８４】
本明細書において、（たとえば、チャネル受信の文脈での）チャネルという用語は、任意の物理チャネル（たとえば、マスター情報ブロック（ＭＩＢ）、物理ブロードキャストチャネル（ＰＢＣＨ）、狭帯域ＰＢＣＨ（ＮＰＢＣＨ）、物理ダウンリンク制御チャネル（ＰＤＣＣＨ）、物理ダウンリンク共有チャネル（ＰＤＳＣＨ）、ＭＰＤＣＣＨ、狭帯域ＰＤＣＣＨ（ＮＰＤＣＣＨ）、狭帯域ＰＤＳＣＨ（ＮＰＤＳＣＨ）、Ｅ−ＰＤＣＣＨ、物理アップリンク共有チャネル（ＰＵＳＣＨ）、物理アップリンク制御チャネル（ＰＵＣＣＨ）、狭帯域ＰＵＳＣＨ（ＮＰＵＳＣＨ）等）が考えられる。
【００８５】
本明細書において、時間リソースという用語は、時間の長さの観点で表現される任意の種類の物理リソースまたは無線リソースに対応していてもよい。時間リソースの例としては、シンボル、タイムスロット、サブフレーム、無線フレーム、送信時間間隔（ＴＴＩ）、インターリーブ時間等が挙げられるが、これらに限定されない。
【００８６】
本明細書において、無線測定という用語には、無線信号またはチャネルの受信に基づく任意の測定（たとえば、受信電力強度（たとえば、参照信号受信電力（ＲＳＲＰ）もしくはＣＳＩ−ＲＳＲＰ）または品質測定（たとえば、ＲＳＲＱ、ＲＳ−ＳＩＮＲ、ＳＩＮＲ、Ｅｓ／ＩｏＴ、ＳＮＲ）等の電力ベースの測定、セル識別、同期信号測定、到達角度（ＡＯＡ）等の角度測定、Ｒｘ−Ｔｘ、ラウンドトリップタイム（ＲＴＴ）、参照信号時間差（ＲＳＴＤ）、到達時間（ＴＯＡ）、到達時間差（ＴＤＯＡ）、タイミングアドバンス等のタイミング測定、スループット測定、チャネル状態情報（ＣＳＩ）、チャネル品質インジケータ（ＣＱＩ）、プリコーディングマトリクスインジケータ（ＰＭＩ）等のチャネル品質測定）を含んでいてもよい。測定は、たとえば絶対的であってもよいし、共通基準または別の測定に対して相対的であってもよいし、複合測定であってもよい（２０１２年８月１日に出願された米国特許出願第６１／６７８４６２号に記載の通りであり、そのすべての内容を本明細書に援用する）。測定は、１つのリンク上であってもよいし、２つ以上のリンク上であってもよい（たとえば、ＲＳＴＤ、タイミングアドバンス、ＲＴＴ、相対的ＲＳＲＰ、２０１２年６月１３日に出願されたＰＣＴ／ＳＥ２０１２／０５０６４４に記載の多種多様なリンク上の測定（そのすべての内容を本明細書に援用する）等）。また、測定は、目的により区別されるようになっていてもよく、１つまたは複数の目的（たとえば、無線リソース管理（ＲＲＭ）、ＭＤＴ、ＳＯＮ、位置決め、タイミング制御またはタイミングアドバンス、同期のうちの１つまたは複数の目的）で実行されてもよい。非限定的な一例において、本明細書に記載の種々実施形態は、上述のような任意の測定に適用されてもよい。
【００８７】
本明細書において、用語「無線測定」は、より広い意味（たとえば、チャネルの受信（たとえば、ブロードキャストまたはマルチキャストチャネルを介したシステム情報の受信））で用いられてもよい。
【００８８】
本明細書において、要件という用語には、ＵＥ測定と関連する任意の種類のＵＥ要件（測定要件、ＲＲＭ要件、モビリティ要件、位置決め測定要件等としても知られる）を含んでいてもよい。ＵＥ測定と関連するＵＥ要件の例としては、測定時間、測定報告時間または遅延、測定精度（たとえば、ＲＳＲＰ／ＲＳＲＱ精度）、測定時間にわたって測定されるセルの数等が挙げられるが、これらに限定されない。測定時間の例としては、Ｌ１測定周期、セル識別時間またはセル探索遅延、ＣＧＩ取得遅延等が挙げられるが、これらに限定されない。
【００８９】
特定の実施形態においては、さまざまなキャリア上でのＳＲＳ送信を説明するのに、ＳＲＳ切り替えおよびＳＲＳキャリアベース切り替えが区別なく用いられてもよい。ＳＲＳ切り替えは、時間および／または周波数領域パターンに基づいていてもよい。ＳＲＳ切り替えには、上述のＳＲＳ送信タイプまたは他のＳＲＳ送信タイプをさらに含んでいてもよい。以下、より多くの例示的なシナリオを説明する。
【００９０】
例示的なシナリオ
ＳＲＳキャリアベース切り替えを伴う例示的な配置シナリオ
基本的なシナリオの一例としては、第１のキャリア周波数（ｆ１）で動作するプライマリサービングセル（たとえば、ＰＣｅｌｌ）により第１のネットワークノードがＵＥにサービスを提供する。また、第１のＳＣｅｌｌとしても知られる少なくとも１つのセカンダリサービングセル（すなわち、ＳＣｅｌｌ）もＵＥにサービスを提供可能である。２つ以上のＳＣｅｌｌ（たとえば、第２のキャリア周波数（ｆ２）で動作する第１のＳＣｅｌｌおよび第３のキャリア周波数（ｆ３）で動作する第２のＳＣｅｌｌ）がＵＥにサービスを提供可能であってもよい。３つ以上のＳＣｅｌｌの場合にも同じことが当てはまる。キャリアｆ１を区別なくＰＣＣと称し、キャリアｆ２、ｆ３、・・・、ｆ（ｎ）をそれぞれ区別なくＳＣＣ１、ＳＣＣ２、・・・、ＳＣＣ（ｎ−１）等と称するようにしてもよい。
【００９１】
一例においては、ｆ１、ｆ２、およびｆ３がすべてライセンススペクトルに属する。他の組み合わせも可能である。さらに別の例においては、キャリアｆ１およびｆ３がライセンススペクトルまたは帯域に属する一方、ｆ２がアンライセンススペクトルまたは周波数帯域に属する。アンライセンススペクトルまたは帯域においては、コンテンションベースの送信が可能である（すなわち、特定のフェアネス制約（たとえば、ＬＢＴ）に基づいて、２つ以上の機器（たとえば、ＵＥまたはネットワークノード）がスペクトルの同じ部分にもアクセス可能である）。この場合、スペクトルを所有するオペレータ（または、ユーザもしくは送信機）は存在しない。ライセンススペクトルまたはライセンス帯域においては、コンテンションフリーの送信のみが可能である（すなわち、スペクトルライセンスの所有者により許可された機器（たとえば、ＵＥまたはネットワークノード）のみがライセンススペクトルにアクセス可能である）。使用の一例においては、すべてのキャリアがアンライセンススペクトル、ライセンス供給スペクトル、またはＬＢＴが必要なスペクトルに含まれ得る。
【００９２】
一例においては、ＵＥのＣＣおよび対応するサービングセルがすべて、同じノードに含まれていてもよい。別の例においては、これらの少なくとも２つが異なるノードに含まれていてもよい。これらの異なるノードは、同一場所に配置されていてもよいし、同一場所に配置されていなくてもよい。
【００９３】
一例においては、ＵＥのＣＣおよび対応するサービングセルがすべて、同じタイミングアドバンスグループ（ＴＡＧ）（たとえば、ｐＴＡＧ）に設定されていてもよい。別の例においては、ＵＥの一部のＣＣおよび対応するサービングセルが１つのタイミングアドバンスグループ（ＴＡＧ）（たとえば、ｐＴＡＧ）に設定され、残りのＣＣが別のＴＡＧ（たとえば、ｓＴＡＧ）に設定されていてもよい。さらに別の例において、ＵＥには、２つ以上のＴＡＧが設定されていてもよい。
【００９４】
また、上記シナリオには、対応するＣＡ設定に基づいて実行されるＤＣまたはマルチコネクティビティ運用を含んでいてもよく、この場合は、たとえば異なる実施形態のＰＳＣｅｌｌが一組のＳＣｅｌｌに属していてもよい。
【００９５】
例示的なＳＲＳ切り替えシナリオ
ＳＲＳ切り替え（「ＳＲＳ切り替え」または「ＳＲＳ送信の切り替え」としても知られる（用語「ＳＲＳ」に関する上記説明参照））には、
第１のキャリア周波数でのＳＲＳ送信の開始および／または第２のキャリア周波数でのＳＲＳ送信の停止（第１および第２のキャリア周波数は、ライセンスおよび／またはアンライセンススペクトル、同じＲＡＴまたは異なるＲＡＴに属していてもよい。上記例によれば、ＳＲＳキャリアベース切り替えには、ｆ１、ｆ２、ｆ３、・・・、ｆ（ｎ）のうちの１つまたは複数の任意のキャリアを含んでいてもよい）、および
１つまたは複数のアンテナまたはアンテナポートからのＳＲＳ送信の開始および／または停止、
の少なくとも一方を含んでいてもよい。
【００９６】
一例において、ＳＲＳ切り替えには、キャリアベースのＳＲＳ切り替えおよび／またはアンテナベースのＳＲＳ切り替えを含んでいてもよい。
【００９７】
ＳＲＳ切り替えは、ネットワークおよび／またはＵＥにより制御されてもよい。
【００９８】
キャリアベースのＳＲＳ切り替えについて特定の実施形態を説明したが、本開示では、本明細書に記載の種々実施形態が如何なるＳＲＳ切り替えタイプにも適用可能であるものと考える。
【００９９】
また、ＳＲＳ切り替え中のキャリアおよび／またはアンテナの切り替えによって、（ＳＲＳ送信が切り替えられる）ターゲットキャリアの設定および／またはアクティブ化等のＵＥ再設定、（ＳＲＳ送信が切り替えられた）元のキャリアの設定解除および／または非アクティブ化、遅延、性能低下等に起因すると考えられる（たとえば、ＰＣｅｌｌまたはアクティブ化ＳＣｅｌｌに対する）いくつかの中断が発生する可能性がある。
【０１００】
図５は、特定の実施形態に係る、ＳＲＳキャリアベース切り替えの例示的な設定を示している。より詳細に、図５は、ＳＲＳキャリアベース切り替えに対して５ＤＬ  ＣＡおよび２ＵＬ（または、より多くのＵＬ）のキャリアアグリゲーションを伴う例示的な設定を示している。図５の例は、２ＵＬ  ＣＡとともに５ＤＬ  ＣＡを示しているが、１つのＵＬがＰＣｅｌｌにおいて固定され、ＳＲＳ切り替えがＳＣｅｌｌのうちの１つ（たとえば、ＳＣｅｌｌ１からＳＣｅｌｌ２）で行われる。このため、如何なる時点においても２ＵＬ  ＣＡの組み合わせである。ＤＬおよびＵＬそれぞれにおいてアグリゲーション数が異なるＣＣについても、同じ例示的なシナリオが見られる。場合によっては、キャリア（すなわち、ＣＣｙ、ＣＣｚ、ＣＣｕ、およびＣＣｖ）が異なる帯域に含まれていてもよい。たとえば、ＣＣｙが１ＧＨｚ未満の任意の帯域、ＣＣｚが２ＧＨｚ前後の任意の帯域、ＣＣｕが３．５ＧＨｚの任意の帯域に含まれていてもよい。図５の例において、ＣＡの組み合わせとしては、時分割複信（ＴＤＤ−ＴＤＤ）および／または周波数分割複信（ＦＤＤ−ＴＤＤ）が可能である。
【０１０１】
アンライセンススペクトルまたは帯域においては、コンテンションベースの送信が可能である（すなわち、特定のフェアネス制約（たとえば、ＬＢＴ）に基づいて、２つ以上の機器（たとえば、ＵＥまたはネットワークノード）がスペクトルの同じ部分にもアクセス可能である）。この場合、スペクトルを所有するオペレータ（または、ユーザもしくは送信機）は存在しない。ライセンススペクトルまたはライセンス帯域においては、コンテンションフリーの送信のみが可能である（すなわち、スペクトルライセンスの所有者により許可された機器（たとえば、ＵＥまたはネットワークノード）のみがライセンススペクトルにアクセス可能である）。
【０１０２】
本明細書において用語「サービス提供される」または「サービス提供されている」は、ＵＥに対応するサービングセルが設定され、サービングセル（たとえば、ＰＣｅｌｌまたはＳＣｅｌｌのうちのいずれか）上でネットワークノードに対するデータの受信および／または送信を行い得ることを意味する。データは、物理チャネル（たとえば、ＤＬのＰＤＳＣＨ、ＵＬのＰＵＳＣＨ等）を介して送信または受信される。
【０１０３】
ＵＥは、ＳＲＳ送信を任意適当に１つまたは複数のサービングセルへと切り替えるように要求されてもよい。たとえば、場合により、ＵＥは、ネットワークノードによって、ＳＲＳ送信を１つまたは複数のサービングセルへと切り替えるように要求されてもよい。いくつかの実施形態においては、ＲＲＣシグナリングを介して、１つまたは複数のＳＲＳ切り替えメッセージまたはコマンドがＵＥにより受信されてもよい。いくつかの実施形態においては、媒体アクセス制御（ＭＡＣ）制御エレメント（ＣＥ）コマンドを介して、１つまたは複数のＳＲＳ切り替えメッセージまたはコマンドがＵＥにより受信されてもよい。
【０１０４】
たとえば、以下のシグナリングが適用されてもよい。
第１のサービングセルのＳＲＳ切り替えリクエストメッセージまたはコマンドを第２のネットワークノードから受信して、ＳＲＳキャリアを第１のサービングセルから切り替えること
第２のサービングセルのＳＲＳ切り替えリクエストメッセージまたはコマンドを第３のネットワークノードから受信して、ＳＲＳキャリアを第２のサービングセルから切り替えること
第３のサービングセルのＳＲＳ切り替えリクエストメッセージまたはコマンドを第４のネットワークノードから受信して、ＳＲＳキャリアを第３のサービングセルから切り替えること。
【０１０５】
いくつかの実施形態においては、第１、第２、第３、および第４のネットワークノードのうちの少なくとも一部が同一である、あるいは、同じサイトまたは場所に配置されている。たとえば、このような実施形態において、ＵＥは、ＳＲＳキャリアを１つまたは複数のサービングセルから第１のネットワークノードに切り替える１つまたは複数のメッセージまたはコマンドを受信するようにしてもよい。また、たとえば、このような実施形態において、ＵＥは、１つまたは複数のサービングセルのＰＣｅｌｌからのＳＲＳ切り替えのための１つまたは複数のメッセージを受信するようにしてもよい。
【０１０６】
いくつかの実施形態において、第１、第２、第３、および第４のネットワークノードは如何なる組み合わせにおいても異なり、異なるサイトまたは場所に位置付けられていてもよいし、依然として同一場所に配置された論理的に異なるノードであってもよい。このような実施形態において、ＵＥは、１つまたは複数のサービングセルの各サービングセルからのＳＲＳキャリア切り替えのための１つまたは複数のメッセージを受信するようにしてもよい。
【０１０７】
本明細書に記載の種々実施形態は、アンライセンススペクトルの少なくとも１つのサービングセルまたは場合により一方がラインセンス、他方がアンライセンススペクトルもしくは周波数帯域の２つのサービングセルについて説明するものの、本開示は、これらの例に限定されない。むしろ、本開示では、アンライセンススペクトルまたは周波数帯域に属するＣＣ上で少なくとも１つのサービングセルが動作する任意数のサービングセルを伴うシナリオを含めて、本明細書に記載の種々実施形態が任意適当なシナリオに適用可能であるものと考える。また、上記実施形態は、アンライセンススペクトルの少なくとも１つまたは複数のサービングセルについても適用可能であり、この場合は、関与するすべてのサービングセルがアンライセンススペクトルである。
【０１０８】
ＵＥにおける方法
上述の通り、特定の実施形態においては、少なくとも１つの測定を実行する場合にＵＥがそのＳＲＳキャリアベース切り替え設定および／または手順を適応させることにより、測定の実行に用いられる特定の時間リソースに対するＳＲＳ切り替えの影響（たとえば、受信機／送信機（再）設定、中断、キャリア切り替え、ＳＲＳ（再）設定等）を回避する。ＵＥは、ＳＲＳキャリアベース切り替え設定をさらに適応させることにより、信号／チャネル受信（たとえば、ブロードキャストチャネル、システム情報を含むチャネル等）または信号／チャネル送信（たとえば、ＤＭＲＳ送信、ランダムアクセス送信等）に用いられる特定の時間リソースに対するＳＲＳ切り替えの影響（たとえば、受信機／送信機（再）設定、中断、キャリア切り替え、ＳＲＳ（再）設定等）を回避するようにしてもよい。
【０１０９】
特定の実施形態においては、ＵＥにおける方法が開示される。例示的な一実施形態によれば、この方法は、
ステップ１：ＵＥが、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定するステップと、
ステップ２：決定した第１の組の参照時間リソース（Ｒ１）に基づいて、第２のキャリア周波数（Ｆ２）で動作する第２のセル（ｃｅｌｌ２）上でＳＲＳを送信するＳＲＳキャリアベース切り替えを適応的に実行するステップと、
を含む。
【０１１０】
特定の実施形態において、ＵＥは、測定の実行に用いられる重要な信号の中断の抑制、最小化、または回避のためにＵＥがＳＲＳ切り替えを適応させ得ることに関する第１のノードの能力を別のノード（たとえば、ネットワークノードまたは別のＵＥ）に伝えるようにしてもよい。この能力は、任意適当に伝えられてもよい。たとえば、特定の実施形態において、この能力は、別のノードからのリクエスト、トリガ条件もしくはイベント、または別のノードからの特定のメッセージの受信に際して伝えられてもよい。
【０１１１】
特定の実施形態において、ＵＥは、適応的なＳＲＳキャリアベース切り替えの結果を１つまたは複数の運用タスクに使用するようにしてもよい。
【０１１２】
以下、例示的な本実施形態のさまざまなステップをより詳しく説明する。
【０１１３】
ステップ１
このステップにおいて、ＵＥは、第１のキャリア周波数Ｆ１で動作する少なくとも１つのセル上で少なくとも１つの無線測定（測定例については、上記図４の説明を参照）を実行する必要性を決定する。
【０１１４】
一例においては、Ｆ１がサービングセルを含んでいてもよい。Ｆ１は、ＣＡ用に設定されている場合、アクティブ化されていてもよいし、非アクティブ化されていてもよい。別の例において、Ｆ１は、周波数間キャリアであってもよいし、ＲＡＴ間キャリアであってもよい。
【０１１５】
測定を実行する必要性は、任意適当な基準に基づいていてもよい。たとえば、特定の実施形態において、測定を実行する必要性は、測定される信号の周期性、１つまたは複数の条件または基準に基づく自律決定といったメカニズムのうちの１つまたは複数に基づいていてもよい。
【０１１６】
測定される信号の周期性は、
測定サンプル周期性（たとえば、ＲＬＭ測定の場合は、各無線フレームの少なくとも１つのサブフレームからのサンプルをＵＥが必要とすることが知られている）、
ＵＥアクティビティ状態設定（たとえば、非間欠受信、非ＤＲＸ、ＤＲＸまたは拡張ＤＲＸ（ｅＤＲＸ）、ＤＲＸ／ｅＤＲＸサイクル長、オン持続時間等）、
別のノード（たとえば、ネットワークノードまたは別のＵＥ）から受信された無線測定の設定、
ＵＥの上位レイヤまたは別のノード（たとえば、ネットワークノードまたは別のＵＥ）から受信され、無線測定を実行する必要性を示すメッセージまたは指標、
無線測定の実行が必要となるイベント、条件、またはトリガ、
無線測定（たとえば、周期的またはスケジューリングされた測定の場合）の実行が必要であることを示すＵＥのタイマー、
である。
【０１１７】
１つまたは複数の条件または基準に基づく自律決定。たとえば、ＵＥが同期しなくなった場合または同期しなくなる可能性がある場合のＦ１のセル（ｃｅｌｌ１）上で測定を実行する。
【０１１８】
無線測定は、周波数内測定、周波数間測定、ＣＡ測定、またはＲＡＴ間測定のうちのいずれか１つまたは複数であってもよい。キャリア周波数Ｆ１は、ＳＲＳ切り替えに関わる一組のキャリア周波数に含まれていてもよいし、含まれていなくてもよい。特定の一例において、無線測定は、ＤＬ測定または双方向測定であってもよいし、Ｄ２Ｄ測定、車車間（Ｖ２Ｖ）測定、または車両と想像できる何かとの間（Ｖ２Ｘ）の測定であってもよい。Ｖ２ＶおよびＶ２Ｘ測定は、サイドリンク上で別のＵＥにより送信された信号に対して実行される。
【０１１９】
特定の実施形態において、ＵＥは、無線測定を実行することになるＦ１のセル上で第１の組の時間リソース（Ｒ１）を決定するようにしてもよい。この決定は、任意適当な基準に基づいていてもよい。たとえば、この決定は、所定の情報（たとえば、所定の要件）に基づいていてもよいし、ネットワークノードまたは別のＵＥから受信された指標に基づいていてもよい。Ｒ１の例としては、
参照信号（たとえば、ＰＳＳ、ＳＳＳ、ＣＲＳ等）を含むＤＬサブフレーム＃０またはＤＬサブフレーム＃５（セル識別、ＲＳＲＰ、ＲＳＲＱ、ＲＳ−ＳＩＮＲ等の測定に用いられる）、
ＣＳＩ−ＲＳを含むＤＬサブフレーム（ＣＳＩ−ＲＳＲＰ測定の実行に用いられる）、
位置決め参照信号（ＰＲＳ）を含むＤＬサブフレーム（ＯＴＤＯＡ（ＲＳＴＤ（参照信号時間差）測定）に用いられ、ＰＲＳサブフレームとも称し得る）、
ＣＲＳまたはＮＲＳを含むＤＬサブフレーム（無線リンクモニタリング（たとえば、同期はずれおよび同期検出）に用いられる）、
ＰＢＣＨおよびＳＩＢ１（ＰＤＳＣＨ上）をそれぞれ含むＤＬサブフレーム＃０およびＤＬサブフレーム＃５（セルのＳＩの取得に用いられる）、
ＤＲＳ（発見信号）を含むＤＬサブフレーム（発見信号測定の実行に用いられる）、
が挙げられるが、これらに限定されない。
【０１２０】
ＳＲＳを含むＵＬサブフレームは、タイミング測定（たとえば、ＵＥ  Ｒｘ−Ｔｘ時間差）に用いられる。
【０１２１】
ＵＥは、Ｆ１の別のセル（たとえば、ｃｅｌｌ３）上で別の測定を行うのに用いられる第２の組の時間リソース（Ｒ２）をさらに決定するようにしてもよい。Ｒ２の例は、Ｒ１に関して上述したものと同じである。
【０１２２】
場合によっては、ＣＥＬＬ１がサービングセルまたは隣接セルであってもよい。ＣＥＬＬ３は、隣接セルであってもよい。一組のＲ１およびＲ２は、時間が揃っていてもよいし、揃っていなくてもよい。
【０１２３】
特定の実施形態において、ＵＥは、ｃｅｌｌ１上の１つまたは複数の時間リソースにおいて１つまたは複数のチャネルまたは物理的信号（たとえば、サブフレーム＃０におけるブロードキャストチャネル）を受信し得るものとさらに決定するようにしてもよい。ＵＥは、ｃｅｌｌ１上の１つまたは複数の時間リソースにおいて１つまたは複数のチャネルまたは物理的信号（たとえば、サブフレーム１におけるＤＭＲＳ、サブフレーム４におけるランダムアクセス（１フレームおき））を送信し得るものとさらに決定するようにしてもよい。ＵＥは、たとえば上位レイヤから受信された指標または別のノード（たとえば、ネットワークノードまたは別のＵＥ）からのリクエストに基づいて、任意適当に上記を決定するようにしてもよい。
【０１２４】
ステップ２
このステップにおいて、ＵＥは、Ｆ２の第２のセル（ｃｅｌｌ２）上でＳＲＳを送信する第２のキャリア（Ｆ２）上のＳＲＳキャリアベース切り替えを適応的に実行する。特定の実施形態において、ＳＲＳ切り替えの適応は、Ｆ１の少なくとも１つのセル上で少なくとも測定を行うのにＵＥが使用する少なくとも決定された第１の組の時間リソース（Ｒ１）またはＵＥが使用すると予想される少なくとも決定された第１の組の時間リソース（Ｒ１）に基づく。ＳＲＳ切り替えの適応は、Ｆ１の別のセル上で少なくとも測定を行うのにＵＥが使用する第２の組の時間リソース（Ｒ２）またはＵＥが使用すると予想される第２の組の時間リソース（Ｒ１）にさらに基づいていてもよい。ＳＲＳ切り替えの適応は、Ｆ２の別の組の１つまたは複数のセル上で測定を行うのにＵＥが使用するさらに別の組の時間リソースまたはＵＥが使用すると予想されるさらに別の組の時間リソースにさらに基づいていてもよい。ＳＲＳ切り替えの適応は、別のキャリア（Ｆ３）の１つまたは複数のセル上で測定を行うのにＵＥが使用する別の組の時間リソース（たとえば、Ｒ３）またはＵＥが使用すると予想される別の組の時間リソース（たとえば、Ｒ３）にさらに基づいていてもよい。
【０１２５】
例示的な時間リソースＲ１、Ｒ２、およびＲ３は、以下の原則のいずれかに従って互いに関連していてもよく、これらの例は、時間リソースの如何なる組み合わせまたは集合にも当てはまる。
一例においては、Ｒ１、Ｒ２、およびＲ３のうちの２つまたは３つが重なっていない。
一例においては、Ｒ１、Ｒ２、およびＲ３のうちの２つまたは３つが少なくとも時間Ｔ１または少なくともｎ個の時間リソース（たとえば、１つのサブフレーム）だけ離れている。
別の例においては、Ｒ１、Ｒ２、およびＲ３が異なる時間リソースであってもよい（たとえば、Ｒ１、Ｒ２、およびＲ３がそれぞれ、サブフレーム＃０、サブフレーム＃２、およびサブフレーム＃９に対応していてもよい）。
別の例においては、Ｒ１、Ｒ２、およびＲ３が同じ時間リソースであってもよい（たとえば、Ｒ１、Ｒ２、およびＲ３がサブフレーム＃０およびサブフレーム＃５の両者に対応していてもよい）。
さらに別の例においては、Ｒ１、Ｒ２、およびＲ３の時間が揃っていてもよい（たとえば、Ｒ１、Ｒ２、およびＲ３に属するサブフレームが同じ開始項目を有していてもよい（すなわち、サブフレームの時間が揃っていてもよい））。
さらに別の例においては、Ｒ１、Ｒ２、およびＲ３の時間が揃っていなくてもよい（たとえば、Ｒ１、Ｒ２、およびＲ３に属するサブフレームが同じ開始項目を有していてもよい（すなわち、サブフレームの時間が揃っていてもよい））。
【０１２６】
さらに別の例においては、如何なる例の組み合わせが当てはまるようになっていてもよい。たとえば、例＃１、＃２、＃３、および＃４（すなわち、上掲の最初の４つの例）の任意の組み合わせが当てはまるようになっていてもよい。
【０１２７】
ＳＲＳキャリアベース切り替え設定は、たとえば
ＳＲＳ切り替え周期（すなわち、ＵＥが別のキャリアに切り替わってＳＲＳを送信するまでの時間）、
ＳＲＳキャリアベース切り替えに関与する複数または一組のキャリア、
キャリアが切り替えられるシーケンス、
ＳＲＳ切り替えループ長（たとえば、同じキャリアの次の送信までの時間）、
ＳＲＳ送信設定（たとえば、背景の項で上述したＳＲＳ送信パラメータ参照）、
ＳＲＳキャリアベース切り替え中のキャリア滞在時間、
ＵＥがｆ２／ｆ３に切り替わった場合のｆ２／ｆ３でのＳＲＳ送信前の最小または最大時間、および
ＵＥがｆ２／ｆ３から切り替わった場合のｆ２／ｆ３でのＳＲＳ送信後の最小または最大時間、および
のうちの１つまたは複数を含んでいてもよい。
【０１２８】
ＵＥは、上記ＳＲＳキャリアベース切り替え設定パラメータのうちのいずれか１つまたは複数を適応させるようにしてもよい。
【０１２９】
Ｆ２でＳＲＳを送信するＳＲＳキャリアベース切り替えは、以下の手段、
少なくともＵＥがＦ２でＳＲＳを送信する期間中に測定が実行されるキャリアまたは測定の実行が予想されるキャリア上で如何なるアップリンク信号も送信しない（すなわち、（測定が行われる）そのキャリアの送信機回路（たとえば、送信機チェーン）をＦ２でのＳＲＳ送信に使用する）こと、より具体的には、たとえば、
少なくともＵＥがＦ２でＳＲＳを送信する期間中にＦ１で如何なるアップリンク信号も送信しない（すなわち、Ｆ１の送信機回路（たとえば、送信機チェーン）をＦ２でのＳＲＳ送信に使用する）こと、
少なくともＵＥがＦ２でＳＲＳを送信する期間中に別のキャリアＦ３で如何なるアップリンク信号も送信しない（すなわち、Ｆ３の送信機回路（たとえば、送信機チェーン）をＦ２でのＳＲＳ送信に使用する）こと、
少なくともＵＥがＦ２でＳＲＳを送信する期間中に測定が実行されないキャリアまたは測定の実行が予想されないキャリア上で如何なるアップリンク信号も送信しない（すなわち、（測定が行われない）そのキャリアの送信機回路（たとえば、送信機チェーン）をＦ２でのＳＲＳ送信に使用する）こと、より具体的には、たとえば、
少なくともＵＥがＦ２でＳＲＳを送信する期間中に別のキャリアＦ４で如何なるアップリンク信号も送信しない（すなわち、Ｆ４の送信機回路（たとえば、送信機チェーン）をＦ２でのＳＲＳ送信に使用する）こと、
のいずれかにより実行されてもよい。
【０１３０】
ＵＥは、
ＵＥアクティビティ状態（たとえば、非ＤＲＸ状態または短ＤＲＸ状態のみでＳＲＳ切り替えを行い、ｅＤＲＸまたはＤＲＸでは行わない）、
ＳＲＳ切り替えタイプ、
ＳＲＳ切り替え設定、
第１のノードの上位レイヤまたは別のノード（たとえば、ネットワークノードまたは別のＵＥ）から受信され、ＳＲＳキャリアベース切り替えを実行する必要性を示すメッセージまたは指標、
ＳＲＳキャリアベース切り替えの実行が必要となるイベント、条件、またはトリガ、
ＳＲＳキャリアベース切り替え（たとえば、周期的またはスケジューリングされた測定の場合）の実行が必要であることを示す第１のノードのタイマー、
ＳＲＳキャリアベース切り替えがいつ実行されるか、および、どんな周波数リソース（たとえば、キャリア）が関与するかを制御する時間および／または周波数領域パターン、
ＳＲＳキャリアベース切り替えに関して開始するＳＲＳ送信のためのＳＲＳ（再）設定、および
ＳＲＳキャリアベース切り替えに関して停止するＳＲＳ送信のためのＳＲＳ（再）設定、
といったメカニズムのうちの１つまたは複数に基づいて、Ｆ２でのＳＲＳキャリアベース切り替えの実行の必要性を決定する。
【０１３１】
Ｆ２に属するｃｅｌｌ２上でＳＲＳを送信するＳＲＳキャリアベース切り替えの適応は、以下の１つまたは複数のメカニズムに基づいて、ＵＥによって自律的に実行されてもよいし、所定のルール、所定の設定の使用、または別のノード（たとえば、ネットワークノードまたは別のＵＥ）からの補助データに基づいて実行されてもよい。Ｆ１の１つまたは複数の無線測定にＳＲＳキャリアベース切り替えが及ぼす影響を考慮したＳＲＳキャリアベース切り替えの適応には、
Ｒ１におけるＦ１のセル上の中断を生じさせないこと、
ＵＥが実際に測定を実行するＲ１におけるＦ１のセル上の中断を生じさせないこと、
セル上の中断がＲ１において時間のＸ％超で発生しないようにすること等、
Ｒ１において測定を行う場合に、ＵＥがＦ１のセルの第１の組の要件（Ｍ１）を満たすように、Ｒ１におけるセル上の中断を生じさせないこと、
ＵＥがＦ１のセルの第２の組の要件（Ｍ２（Ｍ１よりも厳格ではない））を満たすように、Ｒ１におけるｃｅｌｌ１上の中断を制限すること（たとえば、Ｍ１に属する測定が実行される測定周期（Ｔ１）は、Ｍ２に属する測定周期（Ｔ２）よりも短く（すなわち、Ｔ２＞Ｔ１）、Ｔ１およびＴ２としては２００ｍｓおよび８００ｍｓが可能である）、
ＳＲＳキャリアベース切り替えの影響が抑制、最小化、または回避されるように測定を実行すること、
ＳＲＳキャリアベース切り替えの影響を受けたリソースにおける測定の実行を回避すること、
測定を中断すること（たとえば、影響量が閾値を超えた場合（たとえば、Ｎ個超のサブフレームもしくは測定サンプルまたは測定サブフレームもしくは測定サンプルのＸ％超が影響を受けた場合））、
測定を延長すること（たとえば、測定への影響がない場合は、ＳＲＳキャリア切り替えの後に測定を開始する）、
特定の基準値を超えて測定周期を延長することにより、測定中に回避された時間リソースを補償すること（たとえば、測定周期の基準値としては、ＳＲＳ切り替えがＵＥにより実行されない場合の測定の測定周期が可能である）、
ＳＲＳキャリアベース切り替えが測定周期中に発生した場合に、同じ測定精度を維持するため、測定周期を延長すること、
測定サンプルを選択的に使用して、測定を構成すること（たとえば、ＳＲＳキャリアベース切り替えの影響を受けたサンプルを除外すること、または、測定に用いられるサンプルのうちＳＲＳキャリアベース切り替えの影響を受け得るのが、せいぜいＹ％となるようにすること）、
サンプル組み合わせ方法を適応させること（たとえば、サブフレーム内の異なる組のシンボル間の平均によって影響を抑えること（異なる組のシンボルは、影響が予想されない場合よりも大きい可能性がある））、
ＳＲＳキャリアベース切り替えの影響を受け得る測定サンプルまたは測定インスタンスに対して、ＳＲＳキャリアベース切り替えがない場合に使用されるものと異なるフィルタ設定を使用すること、
測定帯域幅を適応させること（たとえば、より大きな帯域幅によって、ＳＲＳキャリアベース切り替えの影響により測定に利用可能な数サンプルを補償する）、
測定を実行する信号またはチャネルタイプを選択すること（たとえば、ＳＲＳキャリアベース切り替えによる影響が予想されない場合は、第１の種類の物理的信号に対して測定が実行される一方、ＳＲＳキャリアベース切り替えの影響を考慮する必要がある場合は、第２の種類の物理的信号に対して測定が実行されてもよい）、
一組の受信アンテナまたはアンテナポートを適応させること（たとえば、ＳＲＳキャリアベース切り替えの影響を考慮する必要があい場合は、第１の組の受信アンテナが測定に用いられ、その他の場合は第２の組の受信アンテナが用いられる）、
チャネルを介して受信されるチャネル送信の冗長バージョンおよび／またはデータの受信用に組み合わされる冗長バージョンの数を適応させること（たとえば、システム情報）、
ＵＥにおける特定の期間中、少なくとも特定数の時間リソースが測定の実行に利用可能となるように、ＳＲＳキャリアベース切り替えを適応させることであって、
サービングセル中のＵＥにおける期間（Ｔ１）当たり、少なくともＮ１個の時間リソースが無線リンクモニタリングに利用可能となるように、ＳＲＳキャリアベース切り替えを適応させること（所定のルールによれば、サービングセル中のＵＥにおけるＴ１当たり、少なくともＮ１個の時間リソースがＲＬＭに利用可能であることを前提として、ＵＥが所定の要件（たとえば、ＲＬＭ、同期はずれと同期）を満たし、Ｎ１およびＴ１の例がそれぞれ、１つのサブフレームおよび無線フレームである）、
測定セル中のＵＥにおける期間（Ｔ２）当たり、少なくともＮ２個の時間リソースが無線測定（たとえば、ＲＳＲＰ、ＲＳＲＱ、ＲＳ−ＳＩＮＲ等）に利用可能となるように、ＳＲＳキャリアベース切り替えを適応させること（所定のルールによれば、サービングセル中のＵＥにおけるＴ２当たり、少なくともＮ２個の時間リソースがＲＬＭに利用可能であることを前提として、ＵＥが所定の要件（たとえば、ＲＳＲＰ）を満たし、Ｎ２およびＴ２の例がそれぞれ、１つのサブフレームおよび無線フレームである）、
測定セル中のＵＥにおける期間（Ｔ３）当たり、少なくともＮ３個の特定種類の時間リソースが無線測定（たとえば、セル探索、ＣＧＩ取得等）に利用可能となるように、ＳＲＳキャリアベース切り替えを適応させること（所定のルールによれば、識別対象のセル中のＵＥにおけるＴ３当たり、サブフレーム＃０およびサブフレーム＃５の少なくとも一方が利用可能であることを前提として、ＵＥが所定の要件（たとえば、セル識別遅延）を満たし、Ｔ３の例が無線フレームである）、
といったルール例によりさらに表される、こと、
といった態様のうちの１つまたは複数をさらに含んでいてもよい。
【０１３２】
ＵＥは、
所定のルール（たとえば、測定に用いられるリソース上の中断を回避するように常に適応させる）、
所定の要件（すなわち、測定と関連する要件をＵＥが満たすようにする）、
ノード（たとえば、サービングネットワークノード）から受信された指標または設定、
のうちの１つまたは複数に基づいて、ＳＲＳキャリアベース切り替えの適応をトリガするようにしてもよい。
【０１３３】
上述の通り、特定の実施形態において、ＵＥは、適応的なＳＲＳキャリアベース切り替えの結果を１つまたは複数の運用タスクに使用するようにしてもよい。運用タスクの例としては、
ＳＲＳキャリアベース切り替えの適応がＵＥにより実行されたことを別のノード（たとえば、ネットワークノード）に知らせること、
特定のキャリア周波数（たとえば、Ｆ１）での測定に対する影響を回避するようにＳＲＳキャリアベース切り替えの適応が実行されたことを別のノード（たとえば、ネットワークノード）に知らせること、
無線測定の結果を別のノード（たとえば、ネットワークノードまたは別のＵＥ）に報告すること、
測定結果を１つまたは複数の運用（たとえば、位置決め、電力管理、リンク適応）に使用すること、
所定の要件（たとえば、測定時間、測定精度、正しく受信されたメッセージ数等）を満たしつつ測定を実行すること、
その他任意適当な運用タスク、
が挙げられるが、これらに限定されない。
【０１３４】
ネットワークノードにおける方法
特定の実施形態においては、ネットワークノードにおける方法が開示される。例示的な一実施形態によれば、この方法は、以下のようなステップを含む（ＵＥの対応する実施形態も参照）。
ネットワークノードにおける方法は、
ステップ１：ＵＥが、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定するステップと、
ステップ２：ＵＥが、決定した第１の組の参照時間リソース（Ｒ１）に基づいて、第２のキャリア周波数（Ｆ２）で動作する第２のセル（ｃｅｌｌ２）上でＳＲＳを送信するＳＲＳキャリアベース切り替えを適応的に実行することになっていると決定するステップと、
ステップ３：適応的なＳＲＳキャリアベース切り替えの結果を１つまたは複数の運用タスクに使用するステップと、
を含む。
【０１３５】
特定の実施形態において、ネットワークノードは、ＳＲＳキャリアベース切り替えの適応によって、ＳＲＳ切り替えがＵＥ測定手順に及ぼす影響を最小化、回避、または抑制し得ることに関するＵＥの能力を取得するようにしてもよい。ネットワークノードは、たとえばＵＥまたは別のノードからのメッセージの受信、ＵＥ挙動のモニタリング等に基づいて、ＵＥの能力を取得するようにしてもよい。
【０１３６】
以下、例示的な本実施形態のさまざまなステップをより詳しく説明する。付加的な情報については、上述のＵＥにおける方法の記述に含まれる。
【０１３７】
ステップ１
このステップにおいて、ネットワークノードは、ＵＥが、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定する。この決定は、任意適当な基準に基づいていてもよい。たとえば、特定の実施形態において、この決定は、ネットワークノードによりＵＥに送信された測定設定、ＵＥアクティビティ状態設定等に基づくことも可能である（他の例については、上記も参照）。
【０１３８】
ステップ２
このステップにおいて、ネットワークノードは、ＵＥが、決定した第１の組の参照時間リソース（Ｒ１）に基づいて、第２のキャリア周波数（Ｆ２）で動作する第２のセル（ｃｅｌｌ２）上でＳＲＳを送信するＳＲＳキャリアベース切り替えを適応的に実行することになっていると決定する。この決定は、任意適当な基準に基づいていてもよい。
【０１３９】
たとえば、特定の実施形態において、上記決定は、
ＳＲＳ切り替え設定（たとえば、上記参照）、
測定に用いられるリソース上の中断を回避または最小化するようにＳＲＳキャリアベース切り替えを適応させるＵＥの能力、
ＵＥがＳＲＳ切り替えを実行する間にＵＥによって実行される測定の種類、
所定のルール（たとえば、ＵＥは、キャリア上の測定の実行に際して、ＳＲＳキャリアベース切り替えを適応的に実行する）、
ＵＥに送られた設定（たとえば、測定の実行中にＳＲＳキャリアベース切り替えを適応さえるリクエスト）、
のうちの１つまたは複数に基づいていてもよい。
本実施形態の別の態様において、ネットワークノードは、ＵＥがＦ１のセル上で無線測定を実行することになっていると決定する際に、前記測定の実行中にＳＲＳキャリアベース切り替えを適応的に実行するようにＵＥを設定可能である。
【０１４０】
ステップ３
このステップにおいて、ネットワークノードは、適応的なＳＲＳキャリアベース切り替えの１つまたは複数の結果を１つまたは複数の運用タスクに使用する。適応の例としては、
測定設定を適応させて、適応した測定設定をＵＥに送信すること、
セルパラメータ（たとえば、送信電力等）を再設定すること、
アップリンクおよび／またはダウンリンクにおいて信号のスケジューリングを適応させること、
ＵＥのＰＣｅｌｌ、ＰＳＣｅｌｌ、および／またはＳＣｅｌｌの複数組のキャリア周波数の変更またはキャリア周波数のスワッピングを行うこと、
ＳＲＳ設定（たとえば、ＳＲＳの周期性および／または帯域幅）を適応させること、
が挙げられるが、これらに限定されない。
【０１４１】
規格の提案変更
以下の抜粋には、３ＧＰＰ  ＴＳ  ３６．１３３  ｖ１４．１．０の潜在的な変更を含む。
【０１４２】
７．６  無線リンクモニタリング
７．６．１  序論
ＵＥは、［２］に規定のパラメータＴ３１３、Ｎ３１３、およびＮ３１４が設定されていることを前提に、第７．６項でＰＳＣｅｌｌに対して指定された無線リンクモニタリング要件を満たすものとする。
【０１４３】
ＵＥは、［３］に指定されたＰＣｅｌｌおよびＰＳＣｅｌｌのダウンリンク無線リンク品質を検出するため、セル固有参照信号に基づいてダウンリンク品質をモニタリングするものとする。
【０１４４】
ＵＥは、ＰＣｅｌｌおよびＰＳＣｅｌｌのダウンリンク無線リンク品質のモニタリングを目的として、ダウンリンク無線リンク品質を推定し、閾値ＱｏｕｔおよびＱｉｎと比較するものとする。
【０１４５】
閾値Ｑｏｕｔは、ダウンリンク無線リンクを確実に受信できないレベルとして規定されており、表７．６．１−１に指定の送信パラメータでＰＤＦＩＣＨ誤りを考慮した仮想ＰＤＣＣＨ送信の１０％ブロック誤り率に対応するものとする。
【０１４６】
閾値Ｑｉｎは、Ｑｏｕｔよりもはるかに確実にダウンリンク無線リンク品質を受信可能なレベルとして規定されており、表７．６．１−２に指定の送信パラメータでＰＤＦＩＣＨ誤りを考慮した仮想ＰＤＣＣＨ送信の２％ブロック誤り率に対応するものとする。
【０１４７】
無線リンクモニタリングの制限に対して上位レイヤシグナリングが特定のサブフレームを指定する場合、無線リンク品質は、［３］に指定の通りモニタリングされるものとする。
【０１４８】
また、第７．６．２．１項、第７．６．２．２項、および第７．６．２．３項の要件は、以下の付加的な条件が満たされることも前提として、ＣＲＳ補助情報の有無に関わらず、無線リンクモニタリング測定を実行する時間領域測定リソース制限パターンが上位レイヤ（ＴＳ  ３６．３３１［２］）により設定される場合にも当てはまるものとする。
測定セルに対して設定された時間領域測定リソース制限パターンは、無線リンクモニタリング測定を実行する無線フレーム当たり少なくとも１つのサブフレームを指定する。
ＣＲＳ補助情報が提供された場合、ＣＲＳ補助情報［２］におけるすべての周波数内セルの送信帯域幅［３０］は、無線リンクモニタリングが実行されるＰＣｅｌｌの送信帯域幅以上である。
【０１４９】
ＣＲＳ補助情報が提供された場合、ＣＲＳ補助情報が提供された１つまたは複数のセル［２］の送信アンテナポートの数［１６］が、無線リンクモニタリングが実行されるセルの送信アンテナポート数と異なる場合は、第７．６項の要件も満たされるものとする。
注記：ＵＥにＣＲＳ補助情報が提供されていない場合（ＴＳ  ３６．３３１［２］）またはＣＲＳ補助情報が評価機関全体で有効ではない場合は、非ＭＢＳＦＮサブフレームにおいて設定されたＡＢＳとのＣＲＳ衝突の下、類似のリリース８および９要件が時間領域測定制限に適用される。
【０１５０】
ＳＲＳキャリアベース切り替えを実行するように設定されている場合にＳＲＳキャリアベース切り替えが可能なＵＥは、無線リンクモニタリングを実行するとともに、以下の条件が満たされることを前提として、第７．６項に規定の要件を満たすものとする。
ＰＣｅｌｌのＵＥにおける無線リンクモニタリングの実行には、少なくとも１つのダウンリンクサブフレームが利用可能である。
【０１５１】
８．１．２．７  Ｅ−ＵＴＲＡＮ  Ｅ−ＣＩＤ測定
８．１．２．７．１  Ｅ−ＵＴＲＡＮ  ＦＤＤ  ＵＥ  Ｒｘ−Ｔｘ時間差測定
ＤＲＸが用いられない場合、ＵＥ  Ｒｘ−Ｔｘ時間差測定の物理レイヤ測定周期は、２００ｍｓとする。
【０１５２】
ＲＲＣ＿ＣＯＮＮＥＣＴＥＤ状態においてＤＲＸが用いられる場合、ＵＥ  Ｒｘ−Ｔｘ時間差測定の物理レイヤ測定周期（Ｔｍｅａｓｕｒｅ＿ＦＤＤ＿ＵＥ＿Ｒｘ＿Ｔｘ１）は、表８．１．２．７．１−１に指定の通りとする。ＲＲＣ＿ＣＯＮＮＥＣＴＥＤ状態においてｅＤＲＸ＿ＣＯＮＮが用いられる場合、ＵＥ  Ｒｘ−Ｔｘ時間差測定の物理レイヤ測定周期（Ｔｍｅａｓｕｒｅ＿ＦＤＤ＿ＵＥ＿Ｒｘ＿Ｔｘ１）は、表８．１．２．７．１−２に指定の通りとする。
2019537327.tif 000003
2019537327.tif 000004
【０１５３】
ＵＥは、ハンドオーバによってＰＣｅｌｌが変化する間にＵＥ  Ｒｘ−Ｔｘ時間差測定を実行している場合、新たなセル上でＲｘ−Ｔｘ測定を再開するものとする。また、この場合、ＵＥは、ＵＥ  Ｒｘ−Ｔｘ時間差測定および精度要件を満たすものとする。ただし、ＵＥ  Ｒｘ−Ｔｘ測定の物理レイヤ測定周期は、以下の式に規定のＴｍｅａｓｕｒｅ＿ＦＤＤ＿ＵＥ＿Ｒｘ＿Ｔｘ３を超えないものとする。
Ｔｍｅａｓｕｒｅ＿ＦＤＤ＿ＵＥ＿Ｒｘ＿Ｔｘ３＝（Ｋ＋１）＊（Ｔｍｅａｓｕｒｅ＿ＦＤＤ＿ＵＥ＿Ｒｘ＿Ｔｘ１）＋Ｋ＊ＴＰＣｃｅｌｌ＿ｃｈａｎｇｅ＿ｈａｎｄｏｖｅｒ
ここで、
Ｋは、測定周期（Ｔｍｅａｓｕｒｅ＿ＦＤＤ＿ＵＥ＿Ｒｘ＿Ｔｘ３）にわたってＰＣｅｌｌが変化した回数であり、
ＴＰＣｅｌｌ＿ｃｈａｎｇｅ＿ｈａｎｄｏｖｅｒは、ハンドオーバによってＰＣｅｌｌが変化するのに必要な時間であり、最大では４５ｍｓが可能である。
【０１５４】
セカンダリコンポーネントキャリアが設定されている場合にＥ−ＵＴＲＡキャリアアグリゲーションをサポートするＵＥは、プライマリコンポーネントキャリアが変化したか否かに関わらず、ＰＣｅｌｌが変化する間にＵＥ  Ｒｘ−Ｔｘ時間差測定を実行している場合、新たなＰＣｅｌｌ上でＲｘ−Ｔｘ測定を再開するものとする。また、この場合、ＵＥは、新たなＰＣｅｌｌに対応するＵＥ  Ｒｘ−Ｔｘ時間差測定および精度要件を満たすものとする。ただし、ＵＥ  Ｒｘ−Ｔｘ測定の物理レイヤ測定周期は、以下の式に規定のＴｍｅａｓｕｒｅ＿ＦＤＤ＿ＵＥ＿Ｒｘ＿Ｔｘ２を超えないものとする。
Ｔｍｅａｓｕｒｅ＿ＦＤＤ＿ＵＥ＿Ｒｘ＿Ｔｘ２＝（Ｎ＋１）＊（Ｔｍｅａｓｕｒｅ＿ＦＤＤ＿ＵＥ＿Ｒｘ＿Ｔｘ１）＋Ｎ＊ＴＰＣｅｌｌ＿ｃｈａｎｇｅ＿ＣＡ
ここで、
Ｎは、測定周期（Ｔｍｅａｓｕｒｅ＿ＦＤＤ＿ＵＥ＿Ｒｘ＿Ｔｘ２）にわたってＰＣｅｌｌが変化した回数であり、
ＴＰＣｅｌｌ＿ｃｈａｎｇｅ＿ＣＡは、ＰＣｅｌｌが変化するのに必要な時間であり、最大では２５ｍｓが可能である。
【０１５５】
また、ＩＤＣ自律否定が設定されている場合、ＵＥは、少なくとも２００ｍｓのＩＤＣ自律否定有効期間にわたって設定されるＩＤＣ自律否定サブフレームが３０個以下であることを前提として、上記要件を満たすものとする。
【０１５６】
ＳＲＳキャリアベース切り替えを実行するように設定されている場合にＳＲＳキャリアベース切り替えが可能なＵＥは、無線リンクモニタリングを実行するとともに、以下の条件が満たされることを前提として、第８．１．２．７項に規定の要件を満たすものとする。
ＰＣｅｌｌのＵＥにおけるＵＥ  Ｒｘ−Ｔｘ時間差測定の実行には、少なくとも１つのダウンリンクサブフレームおよび１つのアップリンクサブフレームが利用可能である。
【０１５７】
ＤＲＸまたはｅＤＲＸ＿ＣＯＮＮが使用されるほか、ＤＲＸが使用されない場合のＵＥ  Ｒｘ−Ｔｘ時間差測定の測定精度は、第９．１．９項に指定の通りとする。
【０１５８】
８．３  Ｅ−ＵＴＲＡキャリアアグリゲーションの測定
８．３．１  序論
本項の要件は、Ｅ−ＵＴＲＡ  ＦＤＤ、Ｅ−ＵＴＲＡ  ＴＤＤ、および／またはＥ−ＵＴＲＡ  ＴＤＤ−ＦＤＤキャリアアグリゲーションをサポートするＵＥに適用可能である。
【０１５９】
第８．１．２．３項（Ｅ−ＵＴＲＡＮ周波数間測定および自律ギャップを伴うＥ−ＵＴＲＡＮ周波数間測定）の要件に従って、測定ギャップまたは自律ギャップを伴う非設定周波数が測定されてもよい。
【０１６０】
ＵＥの場合は、ＴＳ  ３６．３３１に指定の帯域間ＴＤＤ  ＣＡのための同時送受信をサポートしておらず、１つのＥ−ＵＴＲＡ帯域でアップリンクが発生するとともにＴＳ  ３６．１０１に指定の同時Ｒｘ／Ｔｘを伴わない帯域間ＣＡの要件に従うが、その場合の第８．３項の帯域間ＣＡ要件は、以下の付加的な条件の下、異なる帯域のＣＣにおいて用いられる異なるＴＤＤ  ＵＬ／ＤＬサブフレーム設定および／または異なるスペシャルサブフレーム設定でも適用されるものとする。
【０１６１】
ＵＥは、異なるＣＣ上のＵＬおよびＤＬにおいて同時にスケジューリングされず、測定セルにおける測定には、少なくともＤＬサブフレーム＃０またはＤＬサブフレーム＃５が利用可能である。
【０１６２】
ＳＲＳキャリアベース切り替えを実行するように設定されている場合にＳＲＳキャリアベース切り替えが可能なＵＥは、以下の条件が満たされることを前提として、第８．３項に規定の要件を満たすものとする。
測定セルのＵＥでの測定には、無線フレーム当たり少なくともＤＬサブフレーム＃０またはＤＬサブフレーム＃５が利用可能である。
【０１６３】
８．４  Ｅ−ＵＴＲＡＮキャリアアグリゲーションのＯＴＤＯＡ  ＲＳＴＤ測定
８．４．１  序論
本項には、Ｅ−ＵＴＲＡキャリアアグリゲーションのサポートのためのＵＥ能力に関するＲＳＴＤ測定要件を含む。本項の要件は、１つまたは２つのダウンリンクＳＣｅｌｌが設定済みのキャリアアグリゲーションが可能なすべてのＵＥに適用可能である。第８．１．２．６項の要件に従って、測定ギャップを伴う非設定周波数が測定されてもよい。すなわち、Ｅ−ＵＴＲＡＮ周波数間ＲＳＴＤ測定周期が適用される。本項の要件は、Ｅ−ＵＴＲＡ  ＦＤＤ、Ｅ−ＵＴＲＡ  ＴＤＤ、および／またはＥ−ＵＴＲＡ  ＴＤＤ−ＦＤＤキャリアアグリゲーションに適用可能である。
【０１６４】
ＵＥの場合は、ＴＳ  ３６．３３１［２］に指定の帯域間ＴＤＤ  ＣＡのための同時送受信をサポートしておらず、１つのＥ−ＵＴＲＡ帯域でアップリンクが発生するとともにＴＳ  ３６．１０１［５］に指定の同時Ｒｘ／Ｔｘを伴わない帯域間ＣＡの要件に従うが、その場合の第８．４項のＲＳＴＤ測定要件は、以下の付加的な条件の下、異なる帯域のＣＣにおいて用いられる異なるＴＤＤ  ＵＬ／ＤＬサブフレーム設定および／または異なるスペシャルサブフレーム設定でも適用されるものとする。
測定および参照セルにおけるＲＳＴＤ測定には、ＯＴＤＯＡ補助データにおいて示されるとともに第９．１．１０項に指定のすべての位置決めサブフレームが利用可能である。
ＵＥは、異なるＣＣ上のＵＬおよびＤＬにおいて同時にはスケジューリングされない。
【０１６５】
ＳＲＳキャリアベース切り替えを実行するように設定されている場合にＳＲＳキャリアベース切り替えが可能なＵＥは、以下の条件が満たされることを前提として、第８．４項に規定の要件を満たすものとする。
測定および参照セルのＵＥにおけるＲＳＴＤ測定には、ＯＴＤＯＡ補助データにおいて示されるとともに第９．１．１０項に指定のすべての位置決めサブフレームが利用可能である。
【０１６６】
８．４．３  セカンダリコンポーネントキャリア上の測定
すべてのセルが設定されたセカンダリコンポーネントキャリア上にある場合のＲＳＴＤ測定は、第８．１．２．５項に指定のすべての適用可能な要件（ＦＤＤまたはＴＤＤ）を満たすものとする。すなわち、［１７］に指定のＭＡＣ−ＣＥコマンドによって対応する周波数上のＳＣｅｌｌがアクティブ化されているか非アクティブ化されているかに関わらず、Ｅ−ＵＴＲＡＮ周波数内ＲＳＴＤ測定周期が適用される。
【０１６７】
セカンダリコンポーネントキャリア上のすべての測定のＲＳＴＤ測定精度は、第９．１．１２項に指定の精度に従って満たされるものとする。
【０１６８】
ＵＥは、ＳＣｅｌｌのアクティブ化／非アクティブ化ステータス、ＳＲＳキャリアベース切り替え、およびＳＣｅｌｌが非アクティブ化されたＳＣＣに属するセル上のＲＳＴＤ測定のタイミングを考慮して、受信機帯域幅を再設定するようにしてもよい。これにより、同じ周波数帯域の隣接もしくは非隣接コンポーネントキャリアまたは異なる周波数帯域にＰＣｅｌｌおよびＳＣｅｌｌが属する場合には、ＰＣｅｌｌに対する中断（パケット中断）が発生する場合がある。この場合、ＵＥは、第７．１０項に指定の中断要件に従うものとする。ＰＣｅｌｌ上のＰＲＳ位置決め機会の間、ＰＣｅｌｌに対する中断が許可されないものとする。
【０１６９】
８．８  Ｅ−ＵＴＲＡデュアルコネクティビティの測定
８．８．１  序論
本項には、Ｅ−ＵＴＲＡデュアルコネクティビティをサポートするＵＥの要件を含む。本項の要件は、ＭＣＧ（マルチセル／マルチキャスト協調エンティティ）またはＳＣＧ（セカンダリセルグループ）において１つのＳＣｅｌｌが設定され、帯域間デュアルコネクティビティに対して１つのＰＳＣｅｌｌが設定されたＵＥに適用可能である。本項の要件は、Ｅ−ＵＴＲＡ  ＦＤＤ、Ｅ−ＵＴＲＡ  ＴＤＤ、および／またはＥ−ＵＴＲＡ  ＴＤＤ−ＦＤＤデュアルコネクティビティに適用可能である。
【０１７０】
ＳＲＳキャリアベース切り替えを実行するように設定されている場合にＳＲＳキャリアベース切り替えが可能なＵＥは、以下の条件が満たされることを前提として、第８．８項に規定の要件を満たすものとする。
測定セルのＵＥでの測定には、無線フレーム当たり少なくともＤＬサブフレーム＃０またはＤＬサブフレーム＃５が利用可能である。
【０１７１】
８．１２  フレーム構造３による運用下でのＥ−ＵＴＲＡキャリアアグリゲーションの発見信号測定
８．１２．１  序論
本項には、フレーム構造３による運用下でのＥ−ＵＴＲＡキャリアアグリゲーションをサポートのためのＵＥ能力に関する要件を含む。
【０１７２】
第８．１１．２．２項および第８．１１．３．２項の要件に従って、測定ギャップを伴う非設定周波数が測定されてもよい。
【０１７３】
第８．１２項の要件は、１つのＦＤＤ  ＰＣｅｌｌまたは１つのＴＤＤ  ＰＣｅｌｌおよびフレーム構造タイプ３［１６］に従う１つのＳＣＣ上のＳＣｅｌｌのＥ−ＵＴＲＡキャリアアグリゲーションに適用されるものとする。
【０１７４】
８．１２．２  Ｅ−ＵＴＲＡキャリアアグリゲーションのＣＲＳベース発見信号測定
８．１２．２．１  序論
第８．１２．２項の要件は、ＲＳＲＰおよびＲＳＲＱ（参照信号受信品質）測定［４］を含むＣＲＳベース発見信号測定に適用されるものとする。
ＳＲＳキャリアベース切り替えを実行するように設定されている場合にＳＲＳキャリアベース切り替えが可能なＵＥは、以下の条件が満たされることを前提として、第８．１２．２項に規定の要件を満たすものとする。
測定セルのＵＥにおける測定には、第８．１２．２項に指定のＣＲＳベース発見信号を含む設定された発見信号機会の最小数が利用可能である。
【０１７５】
８．１２．３  Ｅ−ＵＴＲＡキャリアアグリゲーションのＣＳＩ−ＲＳベース発見信号測定の要件
８．１２．３．１  序論
第８．１２．３項の要件は、ＣＳＩ−ＲＳＲＰ測定［４］を含むＣＳＩ−ＲＳベース発見信号測定に適用されるものとする。
【０１７６】
ＳＲＳキャリアベース切り替えを実行するように設定されている場合にＳＲＳキャリアベース切り替えが可能なＵＥは、以下の条件が満たされることを前提として、第８．１２．３項に規定の要件を満たすものとする。
測定セルのＵＥにおける測定には、第８．１２．３項に指定のＣＳＩ−ＲＳベース発見信号を含む設定された発見信号機会の最小数が利用可能である。
【０１７７】
図６は、特定の実施形態に係る、ユーザ機器における方法のフロー図である。この方法はステップ６０４で開始となるが、このステップにおいて、ＵＥは、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定する。特定の実施形態において、ＵＥは、測定の実行に用いられる重要な信号の中断の抑制、最小化、または回避のためにＵＥがＳＲＳ切り替えを適応させ得ることに関する能力を別のノード（たとえば、ネットワークノードまたは別のＵＥ）に伝えるようにしてもよい。
【０１７８】
ステップ６０８において、ＵＥは、決定した第１の組の参照時間リソース（Ｒ１）に基づいて、第２のキャリア周波数（Ｆ２）で動作する第２のセル（ｃｅｌｌ２）上でＳＲＳを送信するＳＲＳキャリアベース切り替えを適応的に実行する。特定の実施形態において、ＵＥは、適応的なＳＲＳキャリアベース切り替えの１つまたは複数の結果を１つまたは複数の運用タスクに使用するようにしてもよい。
【０１７９】
図７は、特定の実施形態に係る、ネットワークノードにおける方法のフロー図である。この方法はステップ７０４で開始となるが、このステップにおいて、ネットワークノードは、ＵＥが、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定する。特定の実施形態において、ネットワークノードは、ＳＲＳキャリアベース切り替えの適応によって、ＳＲＳ切り替えがＵＥ測定手順に及ぼす影響を最小化、回避、または抑制し得ることに関するＵＥの能力を取得するようにしてもよい。
【０１８０】
ステップ７０８において、ネットワークノードは、ＵＥが、決定した第１の組の参照時間リソース（Ｒ１）に基づいて、第２のキャリア周波数（Ｆ２）で動作する第２のセル（ｃｅｌｌ２）上でＳＲＳを送信するＳＲＳキャリアベース切り替えを適応的に実行することになっていると決定する。
【０１８１】
ステップ７１２において、ネットワークノードは、適応的なＳＲＳキャリアベース切り替えの結果を１つまたは複数の運用タスクに使用する。
【０１８２】
図８は、特定の実施形態に係る、ネットワークノードにおける方法のフロー図である。この方法はステップ９０４で開始となるが、このステップにおいて、ネットワークノードは、ＵＥが、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定する。特定の実施形態において、ネットワークノードは、ＳＲＳキャリアベース切り替えの適応によって、ＳＲＳ切り替えがＵＥ測定手順に及ぼす影響を最小化、回避、または抑制し得ることに関するＵＥの能力を取得するようにしてもよい。
【０１８３】
ステップ８０８において、ネットワークノードは、決定した第１の組の参照時間リソース（Ｒ１）に基づいて、第２のキャリア周波数（Ｆ２）で動作する第２のセル（ｃｅｌｌ２）上でＳＲＳを送信するＳＲＳキャリアベース切り替えを適応的に実行するようにＵＥを設定する。
【０１８４】
ステップ８１２において、ネットワークノードは、適応的なＳＲＳキャリアベース切り替えの結果を１つまたは複数の運用タスクに使用する。
【０１８５】
図９は、特定の実施形態に係る、例示的な無線機器の模式的ブロック図である。無線機器１１０は、セルラーまたは移動体通信システムのノードおよび／または別の無線機器と通信する如何なる種類の無線機器を表していてもよい。無線機器１１０の例としては、携帯電話、スマートフォン、ＰＤＡ（個人用デジタル補助装置）、携帯型コンピュータ（たとえば、ラップトップ、タブレット）、センサ、モデム、機械式通信（ＭＴＣ）機器／機械間（Ｍ２Ｍ）機器、ラップトップ組込型機器（ＬＥＥ）、ラップトップ搭載型機器（ＬＭＥ）、ＵＳＢドングル、Ｄ２Ｄ対応機器、または無線通信を提供可能な別の機器が挙げられる。また、無線機器１１０は、いくつかの実施形態においてＵＥ、ステーション（ＳＴＡ）、機器、または端末と称する場合もある。無線機器１１０は、送受信機９１０、プロセッサ９２０、およびメモリ９３０を具備する。いくつかの実施形態において、送受信機９１０は、（たとえば、アンテナ９４０を介した）ネットワークノード１１５に対する無線信号の送信および受信を容易化し、プロセッサ９２０は、無線機器１１０により与えられている上述の機能の一部または全部を提供するように命令を実行し、メモリ９３０は、プロセッサ９２０により実行される命令を格納する。
【０１８６】
プロセッサ９２０は、１つまたは複数のモジュールに実装されたハードウェアおよびソフトウェアの任意適当な組み合わせを含むことにより、命令の実行およびデータの操作を行って、図１〜図８に関して上述した無線機器１１０の機能等、無線機器１１０の上記機能の一部または全部を実行するようにしてもよい。いくつかの実施形態において、プロセッサ９２０は、たとえば１つまたは複数のコンピュータ、１つまたは複数の中央演算処理ユニット（ＣＰＵ）、１つまたは複数のマイクロプロセッサ、１つまたは複数のアプリケーション、１つまたは複数の特定用途向け集積回路（ＡＳＩＣ）、１つまたは複数のフィールドプログラマブルゲートアレイ（ＦＰＧＡ）および／または他のロジックを含んでいてもよい。
【０１８７】
メモリ９３０は一般的に、コンピュータプログラム、ソフトウェア、１つまたは複数のロジックを含むアプリケーション、ルール、アルゴリズム、コード、タブレット等の命令および／またはプロセッサにより実行可能な他の命令を格納するように動作可能である。メモリ９３０の例としては、コンピュータメモリ（たとえば、ランダムアクセスメモリ（ＲＡＭ）またはリードオンリーメモリ（ＲＯＭ））、マスストレージ媒体（たとえば、ハードディスク）、リムーバブルストレージ媒体（たとえば、コンパクトディスク（ＣＤ）またはデジタルビデオディスク（ＤＶＤ））、ならびに／またはプロセッサ９２０が使用可能な情報、データ、および／もしくは命令を格納するその他任意の揮発性もしくは不揮発性、持続性コンピュータ可読および／もしくはコンピュータ実行可能メモリデバイスが挙げられる。
【０１８８】
無線機器１１０の他の実施形態には、上述の機能のいずれかおよび／または（上述の解決手段をサポートするのに必要な任意の機能を含む）別の機能等、無線機器の機能の特定の態様を提供する役割を担い得る図９に示したもの以外の付加的な構成要素を含んでいてもよい。ほんの一例として、無線機器１１０は、入力装置および回路、出力装置、ならびに１つもしくは複数の同期ユニットもしくは回路を具備していてもよく、これらはプロセッサ９２０の一部であってもよい。入力装置は、データを無線機器１１０に入力するメカニズムを含む。たとえば、入力装置は、マイク、入力要素、ディスプレイ等の入力メカニズムを含んでいてもよい。出力装置は、オーディオ、ビデオ、および／またはハードコピー様式のデータを出力するメカニズムを含んでいてもよい。たとえば、出力装置は、スピーカ、ディスプレイ等を含んでいてもよい。
【０１８９】
図１０は、特定の実施形態に係る、例示的なネットワークノードの模式的ブロック図である。ネットワークノード１１５は、ＵＥおよび／または別のネットワークノードと通信する任意の種類の無線ネットワークノードまたは任意のネットワークノードであってもよい。ネットワークノード１１５の例としては、ｅＮｏｄｅＢ、ノードＢ、基地局、無線アクセスポイント（たとえば、Ｗｉ−Ｆｉアクセスポイント）、低電力ノード、送受信基地局（ＢＴＳ）、中継器、中継を制御するドナーノード、送信ポイント、送信ノード、リモートＲＦユニット（ＲＲＵ）、リモート無線ヘッド（ＲＲＨ）、ＭＳＲ  ＢＳ等のマルチスタンダード無線（ＭＳＲ）無線ノード、分散アンテナシステム（ＤＡＳ）におけるノード、Ｏ＆Ｍ、ＯＳＳ、ＳＯＮ、位置決めノード（たとえば、Ｅ−ＳＭＬＣ）、ＭＤＴ、またはその他任意適当なネットワークノードが挙げられる。ネットワークノード１１５は、ホモジニアス配置、ヘテロジニアス配置、または混合配置でネットワーク１００全体に配置されていてもよい。ホモジニアス配置は一般的に、同一（または、同様）の種類のネットワークノード１１５ならびに／または類似のカバレッジ、セルサイズ、およびサイト間距離で設定された配置を表していてもよい。ヘテロジニアス配置は一般的に、セルサイズ、送信電力、容量、およびサイト間距離が異なる多様な種類のネットワークノード１１５を用いた配置を表していてもよい。たとえば、ヘテロジニアス配置には、マクロセルレイアウト全体に配置された複数の低電力ノードを含んでいてもよい。混合配置には、ホモジニアス部およびヘテロジニアス部の混合を含んでいてもよい。
【０１９０】
ネットワークノード１１５は、送受信機１０１０、プロセッサ１０２０、メモリ１０３０、およびネットワークインターフェース１０４０のうちの１つまたは複数を具備していてもよい。いくつかの実施形態において、送受信機１０１０は、（たとえば、アンテナ１０５０を介した）無線機器１１０に対する無線信号の送信および受信を容易化し、プロセッサ１０２０は、ネットワークノード１１５により与えられている上述の機能の一部または全部を提供するように命令を実行し、メモリ１０３０は、プロセッサ１０２０により実行される命令を格納し、ネットワークインターフェース１０４０は、ゲートウェイ、スイッチ、ルータ、インターネット、公衆交換電話網（ＰＳＴＮ）、コアネットワークノードまたは無線ネットワークコントローラ１３０等のバックエンドネットワーク構成要素に信号を伝達する。
【０１９１】
プロセッサ１０２０は、１つまたは複数のモジュールに実装されたハードウェアおよびソフトウェアの任意適当な組み合わせを含むことにより、命令の実行およびデータの操作を行って、図１〜図８に関して上述した機能等、ネットワークノード１１５の上記機能の一部または全部を実行するようにしてもよい。いくつかの実施形態において、プロセッサ１０２０は、たとえば１つまたは複数のコンピュータ、１つまたは複数の中央演算処理ユニット（ＣＰＵ）、１つまたは複数のマイクロプロセッサ、１つまたは複数のアプリケーション、および／または他のロジックを含んでいてもよい。
【０１９２】
メモリ１０３０は一般的に、コンピュータプログラム、ソフトウェア、１つまたは複数のロジックを含むアプリケーション、ルール、アルゴリズム、コード、タブレット等の命令および／またはプロセッサにより実行可能な他の命令を格納するように動作可能である。メモリ１０３０の例としては、コンピュータメモリ（たとえば、ランダムアクセスメモリ（ＲＡＭ）またはリードオンリーメモリ（ＲＯＭ））、マスストレージ媒体（たとえば、ハードディスク）、リムーバブルストレージ媒体（たとえば、コンパクトディスク（ＣＤ）またはデジタルビデオディスク（ＤＶＤ））、ならびに／または情報を格納するその他任意の揮発性もしくは不揮発性、持続性コンピュータ可読および／もしくはコンピュータ実行可能メモリデバイスが挙げられる。
【０１９３】
いくつかの実施形態において、ネットワークインターフェース１０４０は、プロセッサ１０２０に対して通信可能に結合されており、ネットワークノード１１５の入力の受信、ネットワークノード１１５からの出力の送信、入力、出力、もしくは両者の適当の処理の実行、他の機器との通信、またはこれらの任意の組み合わせを行うように動作し得る任意適当な機器を表していてもよい。ネットワークインターフェース１０４０には、プロトコル変換およびデータ処理能力等、ネットワークを介して通信する適当なハードウェア（たとえば、ポート、モデム、ネットワークインターフェースカード等）およびソフトウェアを含んでいてもよい。
【０１９４】
ネットワークノード１１５の他の実施形態には、上述の機能のいずれかおよび／または（上述の解決手段をサポートするのに必要な任意の機能を含む）別の機能等、無線ネットワークノードの機能の特定の態様を提供する役割を担い得る図１０に示したもの以外の付加的な構成要素を含んでいてもよい。さまざまな異なる種類のネットワークノードには、同じ物理ハードウェアを有するものの（たとえば、プログラミングによって）異なる無線アクセス技術をサポートするように設定された構成要素を含んでいてもよいし、部分的または全体的に異なる物理的構成要素を表していてもよい。
【０１９５】
図１１は、特定の実施形態に係る、例示的な無線ネットワークコントローラまたはコアネットワークノード１３０の模式的ブロック図である。ネットワークノードの例としては、モバイル交換センター（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）等が挙げられる。無線ネットワークコントローラまたはコアネットワークノード１３０は、プロセッサ１１２０、メモリ１１３０、およびネットワークインターフェース１１４０を具備する。いくつかの実施形態において、プロセッサ１１２０は、ネットワークノードにより与えられている上述の機能の一部または全部を提供するように命令を実行し、メモリ１１３０は、プロセッサ１１２０により実行される命令を格納し、ネットワークインターフェース１１４０は、ゲートウェイ、スイッチ、ルータ、インターネット、公衆交換電話網（ＰＳＴＮ）、ネットワークノード１１５、無線ネットワークコントローラまたはコアネットワークノード１３０等の任意適当なノードに信号を伝達する。
【０１９６】
プロセッサ１１２０は、１つまたは複数のモジュールに実装されたハードウェアおよびソフトウェアの任意適当な組み合わせを含むことにより、命令の実行およびデータの操作を行って、無線ネットワークコントローラまたはコアネットワークノード１３０の上記機能の一部または全部を実行するようにしてもよい。いくつかの実施形態において、プロセッサ１１２０は、たとえば１つまたは複数のコンピュータ、１つまたは複数の中央演算処理ユニット（ＣＰＵ）、１つまたは複数のマイクロプロセッサ、１つまたは複数のアプリケーション、および／または他のロジックを含んでいてもよい。
【０１９７】
メモリ１１３０は一般的に、コンピュータプログラム、ソフトウェア、１つまたは複数のロジックを含むアプリケーション、ルール、アルゴリズム、コード、タブレット等の命令および／またはプロセッサにより実行可能な他の命令を格納するように動作可能である。メモリ１１３０の例としては、コンピュータメモリ（たとえば、ランダムアクセスメモリ（ＲＡＭ）またはリードオンリーメモリ（ＲＯＭ））、マスストレージ媒体（たとえば、ハードディスク）、リムーバブルストレージ媒体（たとえば、コンパクトディスク（ＣＤ）またはデジタルビデオディスク（ＤＶＤ））、ならびに／または情報を格納するその他任意の揮発性もしくは不揮発性、持続性コンピュータ可読および／もしくはコンピュータ実行可能メモリデバイスが挙げられる。
【０１９８】
いくつかの実施形態において、ネットワークインターフェース１１４０は、プロセッサ１１２０に対して通信可能に結合されており、ネットワークノードの入力の受信、ネットワークノードからの出力の送信、入力、出力、もしくは両者の適当の処理の実行、他の機器との通信、またはこれらの任意の組み合わせを行うように動作し得る任意適当な機器を表していてもよい。ネットワークインターフェース１１４０には、プロトコル変換およびデータ処理能力等、ネットワークを介して通信する適当なハードウェア（たとえば、ポート、モデム、ネットワークインターフェースカード等）およびソフトウェアを含んでいてもよい。
【０１９９】
ネットワークノードの他の実施形態には、上述の機能のいずれかおよび／または（上述の解決手段をサポートするのに必要な任意の機能を含む）別の機能等、ネットワークノードの機能の特定の態様を提供する役割を担い得る図１１に示したもの以外の付加的な構成要素を含んでいてもよい。
【０２００】
図１２は、特定の実施形態に係る、例示的な無線機器の模式的ブロック図である。無線機器１１０は、１つまたは複数のモジュールを具備していてもよい。たとえば、無線機器１１０は、決定モジュール１２１０、通信モジュール１２２０、受信モジュール１２３０、入力モジュール１２４０、表示モジュール１２５０、およびその他任意適当なモジュールを具備していてもよい。無線機器１１０は、図１〜図８に関して上述した測定手順を考慮してＳＲＳ切り替えを適応させる方法を実行するようにしてもよい。
【０２０１】
決定モジュール１２１０は、無線機器１１０の処理機能を実行するようにしてもよい。たとえば、決定モジュール１２１０は、ＵＥが、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定するようにしてもよい。別の例として、決定モジュール１２１０は、決定した第１の組の参照時間リソース（Ｒ１）に基づいて、第２のキャリア周波数（Ｆ２）で動作する第２のセル（ｃｅｌｌ２）上でＳＲＳを送信するＳＲＳキャリアベース切り替えを適応的に実行するようにしてもよい。別の例として、決定モジュール１２１０は、適応的なＳＲＳキャリアベース切り替えの結果を１つまたは複数の運用タスクに使用するようにしてもよい。決定モジュール１２１０は、図９に関して上述したプロセッサ９２０等の１つまたは複数のプロセッサを具備していてもよいし、１つまたは複数のプロセッサに含まれていてもよい。決定モジュール１２１０は、決定モジュール１２１０および／または上述のプロセッサ９２０の機能のいずれかを実行するように設定されたアナログおよび／またはデジタル回路を含んでいてもよい。特定の実施形態において、上述の決定モジュール１２１０の機能は、１つまたは複数の異なるモジュールで実行されてもよい。
【０２０２】
通信モジュール１２２０は、無線機器１１０の送信機能を実行するようにしてもよい。たとえば、通信モジュール１２２０は、測定の実行に用いられる重要な信号の中断の抑制、最小化、または回避のためにＵＥがＳＲＳ切り替えを適応させ得ることに関する能力を別のノード（たとえば、ネットワークノードまたは別のＵＥ）に伝えるようにしてもよい。通信モジュール１２２０は、ネットワーク１００のネットワークノード１１５のうちの１つまたは複数にメッセージを送信するようにしてもよい。通信モジュール１２２０は、図９に関して上述した送受信機９１０等の送信機および／または送受信機を具備していてもよい。通信モジュール１２２０は、メッセージおよび／または信号を無線送信するように設定された回路を含んでいてもよい。特定の実施形態において、通信モジュール１２２０は、決定モジュール１２１０から送信するメッセージおよび／または信号を受信するようにしてもよい。特定の実施形態において、上述の通信モジュール１２２０の機能は、１つまたは複数の異なるモジュールで実行されてもよい。
【０２０３】
受信モジュール１２３０は、無線機器１１０の受信機能を実行するようにしてもよい。受信モジュール１２３０は、図９に関して上述した送受信機９１０等の受信機および／または送受信機を具備していてもよい。受信モジュール１２３０は、メッセージおよび／または信号を無線受信するように設定された回路を含んでいてもよい。特定の実施形態において、受信モジュール１２３０は、受信したメッセージおよび／または信号を決定モジュール１２１０に通信するようにしてもよい。
【０２０４】
入力モジュール１２４０は、無線機器１１０を対象としたユーザ入力を受け付けるようにしてもよい。たとえば、入力モジュールは、キー押下、ボタン押下、タッチ、スワイプ、オーディオ信号、ビデオ信号、および／またはその他任意適当な信号を受け付けるようにしてもよい。入力モジュールは、１つまたは複数のキー、ボタン、レバー、スイッチ、タッチスクリーン、マイク、および／またはカメラを具備していてもよい。入力モジュールは、受け付けた信号を決定モジュール１２１０に通信するようにしてもよい。
【０２０５】
表示モジュール１２５０は、信号を無線機器１１０のディスプレイに提示するようにしてもよい。表示モジュール１２５０は、ディスプレイならびに／または信号をディスプレイに提示するように設定された任意適当な回路およびハードウェアを具備していてもよい。表示モジュール１２５０は、決定モジュール１２１０から信号を受信してディスプレイに提示するようにしてもよい。
【０２０６】
決定モジュール１２１０、通信モジュール１２２０、受信モジュール１２３０、入力モジュール１２４０、および表示モジュール１２５０は、ハードウェアおよび／またはソフトウェアの任意適当な設定を含んでいてもよい。無線機器１１０には、上述の機能のいずれかおよび／または（本明細書に記載のさまざまな解決手段をサポートするのに必要な任意の機能を含む）別の機能等、任意適当な機能を提供する役割を担い得る図１２に示したもの以外の付加的なモジュールを含んでいてもよい。
【０２０７】
図１３は、特定の実施形態に係る、例示的なネットワークノード１１５の模式的ブロック図である。ネットワークノード１１５は、１つまたは複数のモジュールを具備していてもよい。たとえば、ネットワークノード１１５は、決定モジュール１３１０、通信モジュール１３２０、受信モジュール１３３０、およびその他任意適当なモジュールを具備していてもよい。いくつかの実施形態において、決定モジュール１３１０、通信モジュール１３２０、受信モジュール１３３０、およびその他任意適当なモジュールのうちの１つまたは複数は、図１０に関して上述したプロセッサ１０２０等、１つまたは複数のプロセッサを用いて実装されていてもよい。特定の実施形態において、２つ以上の上記さまざまなモジュールの機能は、単一のモジュールへと組み合わされていてもよい。ネットワークノード１１５は、図１〜図８に関して上述した測定手順を考慮してＳＲＳ切り替えを適応させる方法を実行するようにしてもよい。
【０２０８】
決定モジュール１３１０は、ネットワークノード１１５の処理機能を実行するようにしてもよい。たとえば、決定モジュール１３１０は、ＵＥが、第１の組の参照時間リソース（Ｒ１）を用いて、第１のキャリア周波数（Ｆ１）で動作する少なくとも１つの第１のセル（ｃｅｌｌ１）上で１つまたは複数の無線測定を実行することになっていると決定するようにしてもよい。別の例として、決定モジュール１３１０は、ＵＥが、決定した第１の組の参照時間リソース（Ｒ１）に基づいて、第２のキャリア周波数（Ｆ２）で動作する第２のセル（ｃｅｌｌ２）上でＳＲＳを送信するＳＲＳキャリアベース切り替えを適応的に実行することになっていると決定するようにしてもよい。さらに別の例として、決定モジュール１３１０は、適応的なＳＲＳキャリアベース切り替えの結果を１つまたは複数の運用タスクに使用するようにしてもよい。さらに別の例として、決定モジュール１３１０は、ＳＲＳキャリアベース切り替えの適応によって、ＳＲＳ切り替えがＵＥ測定手順に及ぼす影響を最小化、回避、または抑制し得ることに関するＵＥの能力を取得するようにしてもよい。さらに別の例として、決定モジュール１３１０は、決定した第１の組の参照時間リソース（Ｒ１）に基づいて、第２のキャリア周波数（Ｆ２）で動作する第２のセル（ｃｅｌｌ２）上でＳＲＳを送信するＳＲＳキャリアベース切り替えを適応的に実行するようにＵＥを設定するようにしてもよい。決定モジュール１３１０は、図１０に関して上述したプロセッサ１０２０等の１つまたは複数のプロセッサを具備していてもよいし、１つまたは複数のプロセッサに含まれていてもよい。決定モジュール１３１０は、決定モジュール１３１０および／または上述のプロセッサ１０２０の機能のいずれかを実行するように設定されたアナログおよび／またはデジタル回路を含んでいてもよい。特定の実施形態において、決定モジュール１３１０の機能は、１つまたは複数の異なるモジュールで実行されてもよい。たとえば、特定の実施形態においては、決定モジュール１３１０の機能の一部が割り当てモジュールにより実行されてもよい。
【０２０９】
通信モジュール１３２０は、ネットワークノード１１５の送信機能を実行するようにしてもよい。たとえば、通信モジュール１３２０は、決定した第１の組の参照時間リソース（Ｒ１）に基づいて、第２のキャリア周波数（Ｆ２）で動作する第２のセル（ｃｅｌｌ２）上でＳＲＳを送信するＳＲＳキャリアベース切り替えを適応的に実行するようにＵＥを設定するようにしてもよい。通信モジュール１３２０は、無線機器１１０のうちの１つまたは複数にメッセージを送信するようにしてもよい。通信モジュール１３２０は、図１０に関して上述した送受信機１０１０等の送信機および／または送受信機を具備していてもよい。通信モジュール１３２０は、メッセージおよび／または信号を無線送信するように設定された回路を含んでいてもよい。特定の実施形態において、通信モジュール１３２０は、決定モジュール１３１０またはその他任意のモジュールから送信するメッセージおよび／または信号を受信するようにしてもよい。
【０２１０】
受信モジュール１３３０は、ネットワークノード１１５の受信機能を実行するようにしてもよい。たとえば、受信モジュール１３３０は、ＳＲＳキャリアベース切り替えの適応によって、ＳＲＳ切り替えがＵＥ測定手順に及ぼす影響を最小化、回避、または抑制し得ることに関するＵＥの能力を取得するようにしてもよい。受信モジュール１３３０は、無線機器から任意適当な情報を受信するようにしてもよい。受信モジュール１３３０は、図１０に関して上述した送受信機１０１０等の受信機および／または送受信機を具備していてもよい。受信モジュール１３３０は、メッセージおよび／または信号を無線受信するように設定された回路を含んでいてもよい。特定の実施形態において、受信モジュール１３３０は、受信したメッセージおよび／または信号を決定モジュール１３１０またはその他任意適当なモジュールに通信するようにしてもよい。
【０２１１】
決定モジュール１３１０、通信モジュール１３２０、および受信モジュール１３３０は、ハードウェアおよび／またはソフトウェアの任意適当な設定を含んでいてもよい。ネットワークノード１１５には、上述の機能のいずれかおよび／または（本明細書に記載のさまざまな解決手段をサポートするのに必要な任意の機能を含む）別の機能等、任意適当な機能を提供する役割を担い得る図１３に示したもの以外の付加的なモジュールを含んでいてもよい。
【０２１２】
図１４は、実施形態に係る、ユーザ機器において、１つまたは複数の無線測定を実行する方法を示したフローチャートである。この方法は、１４００において、ユーザ機器が、第１の組の参照時間リソースを用いて、第１のキャリア周波数で動作する少なくとも１つの第１のセル上で１つまたは複数の無線測定を実行することになっていると決定することを含む。この方法は、１４１０において、決定した第１の組の参照時間リソースに基づいて、第２のキャリア周波数で動作する第２のセル上で参照信号を送信するための参照信号キャリアベース切り替えを適応的に実行することをさらに含む。この特徴は、第１の組の参照時間リソースが無線測定に確実に利用可能となるように、決定した第１の組の参照時間リソースに基づいて、第２のキャリア周波数で動作する第２のセル上で参照信号を送信するための参照信号キャリアベース切り替えを適応的に実行することを含んでいてもよい。第１の組の参照時間リソースは、無線フレームごとのダウンリンクサブフレーム番号０もしくはダウンリンクサブフレーム番号５、位置決め参照信号を含むダウンリンクサブフレーム、発見信号を含むダウンリンクサブフレーム、ならびにＵＥ  Ｒｘ−Ｔｘ（受信−送信）時間差測定用の無線フレームごとの少なくとも１つのダウンリンクサブフレームおよびアップリンクサブフレーム、のうちの少なくとも１つを含んでいてもよい。
【０２１３】
ユーザ機器が、第１の組の参照時間リソースを用いて、第１のキャリア周波数で動作する少なくとも１つの第１のセル上で１つまたは複数の無線測定を実行することになっていると決定すること１４００は、ユーザ機器が、既知の測定サンプル周期性、およびネットワークノードから受信された測定設定または指標、のうちの少なくとも一方に基づき、第１の組の参照時間リソースを用いて、第１のキャリア周波数で動作する少なくとも１つの第１のセル上で１つまたは複数の無線測定を実行することになっていると決定すること１４０５を含んでいてもよい。
【０２１４】
決定した第１の組の参照時間リソースに基づいて、第２のキャリア周波数で動作する第２のセル上で参照信号を送信するための参照信号キャリアベース切り替えを適応的に実行すること１４１０は、１４１２において、参照信号キャリアベース切り替え設定を適応させることを含んでいてもよい。これは、参照信号切り替え周期、参照信号キャリアベース切り替えに関与する複数または一組のキャリア、キャリアが切り替えられるシーケンス、参照信号切り替えループ長、１つまたは複数の参照信号送信パラメータ、参照信号キャリアベース切り替え中のキャリア滞在時間、ユーザ機器が第２のキャリア周波数に切り替わった場合の第２のキャリア周波数での参照信号送信前の最小または最大時間、およびユーザ機器が第２のキャリア周波数から切り替わった場合の第２のキャリア周波数での参照信号送信後の最小または最大時間のうちの１つまたは複数を適応させることを含んでいてもよい。１４１４に示すように、ユーザ機器は、所定のルール、所定の設定、およびネットワークノードから受信された補助データのうちの少なくとも１つに基づいて、前記参照信号キャリアベース切り替えを適応的に実行するようにしてもよい。
【０２１５】
この方法は、１４２４において、第２の組の時間リソースに基づいて、第２のキャリア周波数で動作する第２のセル上で参照信号を送信するための参照信号キャリアベース切り替えを適応的に実行することをさらに含んでいてもよく、第２の組の時間リソースは、ユーザ機器によって、第１のキャリア周波数上のさらなるセルおよび第２のキャリア周波数上のさらなるセルの一方において測定を実行するのに用いられると予想される。
【０２１６】
この方法は、１４２２において、決定した第１の組の参照時間リソースを用いて、１つまたは複数の測定を実行することをさらに含んでいてもよい。この方法は、１４２０において、適応的な参照信号キャリアベース切り替えの結果を１つまたは複数の運用タスクに使用することをさらに含んでいてもよい。
【０２１７】
参照信号は、サウンディング参照信号（ＳＲＳ）であってもよい。ただし、参照信号は、たとえば復調参照信号、ＵＥ固有参照信号、またはパイロット信号等、その他任意の種類の参照信号であってもよい。
【０２１８】
図９および図１２に関して上述した無線機器１１０（ユーザ機器とも称し得る）は、図１４に関して上述した方法を実行するように設定されていてもよい。
【０２１９】
実施形態によれば、１つまたは複数のプロセッサを備えたユーザ機器が提供される。１つまたは複数のプロセッサは、ユーザ機器が、第１の組の参照時間リソースを用いて、第１のキャリア周波数で動作する少なくとも１つの第１のセル上で１つまたは複数の無線測定を実行することになっていると決定するように設定されている。１つまたは複数のプロセッサは、決定した第１の組の参照時間リソースに基づいて、第２のキャリア周波数で動作する第２のセル上で参照信号を送信するための参照信号キャリアベース切り替えを適応的に実行するようにさらに設定されている。
【０２２０】
１つまたは複数のプロセッサは、第１の組の参照時間リソースが無線測定に確実に利用可能となるように、決定した第１の組の参照時間リソースに基づいて、第２のキャリア周波数で動作する第２のセル上で参照信号を送信するための参照信号キャリアベース切り替えを適応的に実行するように設定されていてもよい。
【０２２１】
第１の組の参照時間リソースは、無線フレームごとのダウンリンクサブフレーム番号０もしくはダウンリンクサブフレーム番号５、位置決め参照信号を含むダウンリンクサブフレーム、発見信号を含むダウンリンクサブフレーム、ならびにＵＥ  Ｒｘ−Ｔｘ時間差測定用の無線フレームごとの少なくとも１つのダウンリンクサブフレームおよびアップリンクサブフレーム、のうちの少なくとも１つを含んでいてもよい。
【０２２２】
１つまたは複数のプロセッサは、ユーザ機器が、既知の測定サンプル周期性、およびネットワークノードから受信された測定設定または指標、のうちの少なくとも一方に基づき、第１の組の参照時間リソースを用いて、第１のキャリア周波数で動作する少なくとも１つの第１のセル上で１つまたは複数の無線測定を実行することになっていると決定するように設定されていてもよい。
【０２２３】
１つまたは複数のプロセッサは、参照信号キャリアベース切り替え設定を適応させることにより、決定した第１の組の参照時間リソースに基づいて、第２のキャリア周波数で動作する第２のセル上で参照信号を送信するための参照信号キャリアベース切り替えを適応的に実行するように設定されていてもよい。特に、１つまたは複数のプロセッサは、参照信号切り替え周期、参照信号キャリアベース切り替えに関与する複数または一組のキャリア、キャリアが切り替えられるシーケンス、参照信号切り替えループ長、１つまたは複数の参照信号送信パラメータ、参照信号キャリアベース切り替え中のキャリア滞在時間、ユーザ機器が第２のキャリア周波数に切り替わった場合の第２のキャリア周波数での参照信号送信前の最小または最大時間、およびユーザ機器が第２のキャリア周波数から切り替わった場合の第２のキャリア周波数での参照信号送信後の最小または最大時間のうちの１つまたは複数を適応させることによって、参照信号キャリアベース切り替え設定を適応させるように設定されていてもよい。
【０２２４】
１つまたは複数のプロセッサは、所定のルール、所定の設定、およびネットワークノードから受信された補助データのうちの少なくとも１つに基づいて、参照信号キャリアベース切り替えを適応的に実行するように設定されていてもよい。
【０２２５】
１つまたは複数のプロセッサは、第２の組の時間リソースに基づいて、第２のキャリア周波数で動作する第２のセル上で参照信号を送信するための参照信号キャリアベース切り替えを適応的に実行するようにさらに設定されていてもよく、第２の組の時間リソースは、ユーザ機器によって、第１のキャリア周波数上のさらなるセルおよび第２のキャリア周波数上のさらなるセルの一方において測定を実行するのに用いられると予想される。
【０２２６】
１つまたは複数のプロセッサは、決定した第１の組の参照時間リソースを用いて、１つまたは複数の測定を実行するようにさらに設定されていてもよい。
【０２２７】
１つまたは複数のプロセッサは、適応的な参照信号キャリアベース切り替えの結果を１つまたは複数の運用タスクに使用するようにさらに設定されていてもよい。
【０２２８】
参照信号は、サウンディング参照信号（ＳＲＳ）であってもよい。ただし、参照信号は、たとえば復調参照信号、ＵＥ固有参照信号、またはパイロット信号等、その他任意の種類の参照信号であってもよい。
【０２２９】
図１５は、実施形態に係る、ネットワークノードにおける方法を示したフローチャートである。この方法は、１５００において、ユーザ機器が、第１の組の参照時間リソースを用いて、第１のキャリア周波数で動作する少なくとも１つの第１のセル上で１つまたは複数の無線測定を実行することになっていると決定することを含む。ネットワークノードは、１５０２において、測定設定をユーザ機器に送信するようにしてもよく、測定設定は、第１の組の参照時間リソースを示す。この方法は、１５１０において、ユーザ機器が、決定した第１の組の参照時間リソースに基づいて、第２のキャリア周波数で動作する第２のセル上で参照信号を送信するための参照信号キャリアベース切り替えを適応的に実行することになっていると決定することをさらに含む。この方法は、１５２０において、適応的な参照信号キャリアベース切り替えの結果を１つまたは複数の運用タスクに使用することをさらに含む。
【０２３０】
いくつかの実施形態において、この方法は、１５０５において、決定した第１の組の参照時間リソースに基づいて、第２のキャリア周波数で動作する第２のセル上で参照信号を送信するための参照信号キャリアベース切り替えを適応的に実行するようにユーザ機器を設定することをさらに含んでいてもよい。
【０２３１】
第１の組の参照時間リソースは、無線フレームごとのダウンリンクサブフレーム番号０もしくはダウンリンクサブフレーム番号５、位置決め参照信号を含むダウンリンクサブフレーム、発見信号を含むダウンリンクサブフレーム、ならびにＵＥ  Ｒｘ−Ｔｘ時間差測定用の無線フレームごとの少なくとも１つのダウンリンクサブフレームおよびアップリンクサブフレーム、のうちの少なくとも１つを含んでいてもよい。
【０２３２】
参照信号は、サウンディング参照信号（ＳＲＳ）であってもよい。ただし、参照信号は、たとえば復調参照信号、ＵＥ固有参照信号、またはパイロット信号等、その他任意の種類の参照信号であってもよい。
【０２３３】
図１０および図１３に関して上述したネットワークノード１１５は、図１５に関して記述した方法を実行するように設定されていてもよい。
【０２３４】
実施形態によれば、１つまたは複数のプロセッサを備えたネットワークノードが提供される。１つまたは複数のプロセッサは、ユーザ機器が、第１の組の参照時間リソースを用いて、第１のキャリア周波数で動作する少なくとも１つの第１のセル上で１つまたは複数の無線測定を実行することになっていると決定するように設定されている。１つまたは複数のプロセッサは、ユーザ機器が、決定した第１の組の参照時間リソースに基づいて、第２のキャリア周波数で動作する第２のセル上で参照信号を送信するための参照信号キャリアベース切り替えを適応的に実行することになっていると決定するようにさらに設定されている。１つまたは複数のプロセッサは、適応的な参照信号キャリアベース切り替えの結果を１つまたは複数の運用タスクに使用するようにさらに設定されている。
【０２３５】
１つまたは複数のプロセッサは、決定した第１の組の参照時間リソースに基づいて、第２のキャリア周波数で動作する第２のセル上で参照信号を送信するための参照信号キャリアベース切り替えを適応的に実行するようにユーザ機器を設定するように設定されていてもよい。
【０２３６】
第１の組の参照時間リソースは、無線フレームごとのダウンリンクサブフレーム番号０もしくはダウンリンクサブフレーム番号５、位置決め参照信号を含むダウンリンクサブフレーム、発見信号を含むダウンリンクサブフレーム、ならびにＵＥ  Ｒｘ−Ｔｘ時間差測定用の無線フレームごとの少なくとも１つのダウンリンクサブフレームおよびアップリンクサブフレーム、のうちの少なくとも１つを含んでいてもよい。
【０２３７】
１つまたは複数のプロセッサは、測定設定をユーザ機器に送信するように設定されていてもよく、測定設定は、第１の組の参照時間リソースを示す。
【０２３８】
参照信号は、サウンディング参照信号（ＳＲＳ）であってもよい。ただし、参照信号は、たとえば復調参照信号、ＵＥ固有参照信号、またはパイロット信号等、その他任意の種類の参照信号であってもよい。
【０２３９】
本開示の特定の実施形態は、１つまたは複数の技術的利点をもたらし得る。たとえば、特定の実施形態においては、適応的ＲＳキャリアベース切り替えに関するＵＥの挙動が十分に規定されていることから、ＲＳ品質に依拠したＤＬおよび／またはＵＬスケジューリング等の手順が影響を受け得ない。別の例として、特定の実施形態においては、ＵＥがＲＳキャリアベース切り替えを実行している間に、測定を実行するとともに、すべての要件を満足可能であってもよい。さらに別の例として、特定の実施形態においては、ＲＲＭ測定によって決まるＵＥモビリティ手順が、ＲＳ切り替えによって劣化し得ない。さらに別の例として、特定の実施形態においては、ＵＥがＲＳ切り替えを実行している場合であっても、ＳＩ読み出し品質が維持され得るのが好都合である。当業者にとっては、他の利点についても容易に明らかとなり得る。特定の実施形態は、列挙した利点を有していなくてもよいし、列挙した利点の一部または全部を有していてもよい。
【０２４０】
本開示の範囲から逸脱することなく、本明細書に記載のシステムおよび装置に対する改良、追加、または省略が可能である。これらのシステムおよび装置の構成要素は、統合されていてもよいし、分離されていてもよい。さらに、これらのシステムおよび装置の動作は、より多くの構成要素により実行されてもよいし、より少ない構成要素により実行されてもよいし、他の構成要素により実行されてもよい。また、これらのシステムおよび装置の動作は、ソフトウェア、ハードウェア、および／または他のロジックを含む任意適当なロジックを用いて実行されてもよい。本明細書において、「各」は、集合の各部材または集合の部分集合の各部材を表す。
【０２４１】
本開示の範囲から逸脱することなく、本明細書に記載の方法に対する改良、追加、または省略が可能である。これらの方法は、より多くのステップを含んでいてもよいし、より少ないステップを含んでいてもよいし、他のステップを含んでいてもよい。また、任意適当な順序でステップが実行されてもよい。
【０２４２】
特定の実施形態に関して本開示を説明したが、当業者には、これらの実施形態の修正および変形が明らかとなるであろう。したがって、これらの実施形態に関する上記説明は、本開示を制限するものではない。以下の特許請求の範囲により規定される通り、本開示の範囲から逸脱することなく、他の変更、代替、および修正が可能である。
【図１】
2019537327.tif 000005
【図２】
2019537327.tif 000006
【図３】
2019537327.tif 000007
【図４】
2019537327.tif 000008
【図５】
2019537327.tif 000009
【図６】
2019537327.tif 000010
【図７】
2019537327.tif 000011
【図８】
2019537327.tif 000012
【図９】
2019537327.tif 000013
【図１０】
2019537327.tif 000014
【図１１】
2019537327.tif 000015
【図１２】
2019537327.tif 000016
【図１３】
2019537327.tif 000017
【図１４】
2019537327.tif 000018
【図１５】
2019537327.tif 000019
【国際調査報告】
2019537327.tif 000020
2019537327.tif 000021